(57)【要約】      （修正有）【課題】受け入れた液体に含まれている混入物が沈降する移送システムに関し、混入物を十分に移動させながら混入物の撒き上がりを抑える。【解決手段】底部１ａに沿って延在したものであって、上端部分８２が閉塞した空間Ｓ２を形成し、上端部分８２より下方に底部１ａから離間した吸込口８１が設けられた空間形成部材８と、空間Ｓ２内に流体を吐出する吐出口７とを備え、吐出口７は、扁平な形状のものであるとともに、吸込口８１よりは上方に位置し、受け入れた液体に含まれている混入物の移送方向下流側に向かって流体を吐出するものである。【選択図】図３
2020062638.tif 000002
【特許請求の範囲】
【請求項１】
受け入れた液体に含まれている混入物が底部に沈降する移送システムであって、
前記底部に沿って延在したものであって、上端部分が閉塞した空間を形成し、該上端部分より下方に該底部から離間した開口が設けられた空間形成部材と、
前記空間内に流体を吐出する吐出口とを備え、
前記吐出口は、扁平な形状のものであるとともに、前記開口よりは上方に位置し、前記混入物の移送方向下流側に向かって流体を吐出するものであることを特徴とする移送システム。
【請求項２】
前記吐出口は、０．０５ＭＰａ以上０．３ＭＰａ以下の吐出圧で流体を吐出するものであることを特徴とする請求項１記載の移送システム。
【発明の詳細な説明】
【技術分野】
【０００１】
本発明は、受け入れた液体に含まれている混入物が沈降する移送システムに関する。
【背景技術】
【０００２】
下水処理システムには、下水または雨水などの汚水を受け入れ、その汚水に含まれている砂を池底部に沈降させた後、池底部に堆積した砂を集めるために所定方向に移動させ、集まった砂を汚水から取り除く沈砂池が設けられているものがある。この沈砂池には、池底部に堆積した砂を、吐出口から吐出した流体の流れによりその流体の吐出方向下流側に向かって移動させる集砂手段を備えたものが知られている。この流体を用いた集砂では、せっかく堆積した砂が、吐出された流体によって撒き上がってしまうことがあり、砂の撒き上がりをいかにして抑えるかが重要になってくる。従来では、池底部の上方に、吐出方向下流側に向かって下方へ傾斜した傾斜板を、吐出方向に沿って間隔をあけて配置し、その傾斜板によって砂の撒き上がりを防止しようとしている（例えば、特許文献１等参照）。
【０００３】
また、下水処理システムには、沈砂池で砂が除去された水を受入れ、受け入れた水に含まれている汚泥を池底部に沈降させた後、池底部に堆積した汚泥を集めるために所定方向に移動させ、集まった汚泥を汚水から取り除く沈殿池が設けられているものがある。この沈殿池においても、池底部に堆積した汚泥を、吐出口から吐出した流体の流れによりその流体の吐出方向下流側に向かって移動させる移動手段を備えたものが知られている。汚泥は、砂より粒径が小さい泥状のものであるため砂よりも撒き上がりやすく、この汚泥の撒き上がりをいかにして抑えるかがより重要になる。従来では、沈殿池の池底部に設けた吐出ノズルの上方に、吐出方向下流側に向けて下方に傾斜した遮蔽板を設け、その遮蔽板によって砂の撒き上がりを防止しようとしている（例えば、特許文献２等参照）。
【先行技術文献】
【特許文献】
【０００４】
【特許文献１】特開平９−７０５０３号公報
【特許文献２】実開昭６４−５６８０７号公報
【発明の概要】
【発明が解決しようとする課題】
【０００５】
しかしながら、特許文献１に記された傾斜板では、吐出方向に対向するように傾斜板が配置されていることになり、吐出口から吐出される流体が遮られ、砂が十分に移動しない恐れがある。このため、砂を十分に移動させようとして吐出口の吐出圧を高めると、今度は、吐出された流体の勢いによって砂が傾斜板に沿って撒き上がってしまう恐れがある。
【０００６】
また、特許文献２に記された遮蔽板においても、吐出方向に対向するように遮蔽板が配置されていることになり、特許文献１と同様の問題がある。
【０００７】
さらに、沈砂池や沈殿池以外においても、例えば、ダム湖等の貯水池に流入した土砂等の混入物を一方向に移動させ、集めた土砂等の混入物を排出することが考えられ、この場合においても、ダム湖等の底に堆積した土砂等の混入物の撒き上がりを抑えて移動させることが好ましい。
【０００８】
本発明は上記事情に鑑み、混入物を十分に移動させながら混入物の撒き上がりを抑える工夫がなされた移送システムを提供することを目的とする。
【課題を解決するための手段】
【０００９】
上記目的を解決する本発明の移送システムは、受け入れた液体に含まれている混入物が底部に沈降する移送システムであって、
前記底部に沿って延在したものであって、上端部分が閉塞した空間を形成し、該上端部分より下方に該底部から離間した開口が設けられた空間形成部材と、
前記空間内に流体を吐出する吐出口とを備え、
前記吐出口は、扁平な形状のものであるとともに、前記開口よりは上方に位置し、前記混入物の移送方向下流側に向かって流体を吐出するものであることを特徴とする。
【００１０】
また、受け入れた液体に含まれている混入物が底部に沈降する移送システムであって、
前記底部に沿って延在したものであって、上端部分が閉塞した空間を形成し、該上端部分より下方に該底部から離間した開口が設けられた空間形成部材と、
前記空間内に流体を吐出する吐出口とを備え、
前記空間は、前記開口につながる下端部分が、該開口に近づくほど狭くなったものであり、
前記吐出口は、前記混入物の移送方向下流側に向かって流体を吐出するものであってもよい。
【００１１】
また、受け入れた液体に含まれている混入物が底部に沈降する移送システムであって、
前記底部に沿って延在したものであって、上端部分が閉塞した空間を形成し、該上端部分より下方に該底部から離間した開口が設けられた空間形成部材と、
前記空間内に流体を吐出する吐出口とを備え、
前記空間は、前記開口につながる下端部分が、該開口に近づくほど狭くなったものであってもよい。
【００１２】
また、受け入れた液体に含まれている混入物が底部に沈降する移送システムであって、
前記底部に沿って延在したものであって、上端部分が閉塞した空間を形成し、該上端部分より下方に該底部から離間した吸込口が設けられた空間形成部材と、
前記空間内に流体を吐出する吐出口とを備え、
前記吸込口は、前記底部に堆積した混入物を、前記吐出口から流体が吐出されることで生じる、前記空間内と該空間外との圧力差によって、該空間内に吸い込む開口として機能するものであり、
前記空間形成部材は、前記空間内に吸い込まれた混入物が、前記吐出口から流体が吐出されることで該流体の吐出方向下流側に向かって移動する経路として機能するものであり、
前記空間は、前記吸込口につながる下端部分が、該吸込口に近づくほど狭くなったものであることを特徴とする移送システムであってもよい。
【００１３】
また、この移送システムにおいて、前記吐出口が、扁平な形状のものであってもよい。
【００１４】
また、受け入れた液体に含まれている混入物が底部に沈降する移送システムであって、
前記底部に沿って延在したものであって、上端部分が閉塞した空間を形成し、該上端部分より下方に該底部から離間した吸込口が設けられた空間形成部材と、
前記空間内に流体を吐出する吐出口とを備え、
前記吸込口は、前記底部に堆積した混入物を、前記吐出口から流体が吐出されることで生じる、前記空間内と該空間外との圧力差によって、該空間内に吸い込む開口として機能するものであり、
前記空間形成部材は、前記空間内に吸い込まれた混入物が、前記吐出口から流体が吐出されることで該流体の吐出方向下流側に向かって移動する経路として機能するものであり、
前記吐出口は、扁平な形状のものであってもよい。
【００１５】
また、この移送システムにおいて、前記吐出口は、水平方向あるいは略水平方向に流体を吐出するものであってもよい。
【００１６】
また、この移送システムにおいて、前記吐出口は、前記空間形成部材の中心よりは下方であって、前記吸込口よりは上方に位置するものであってもよい。
【００１７】
また、この移送システムにおいて前記底部に形成され、上方に向かって開口した溝を備え、
前記吸込口は、前記溝内で開口し、該溝内に堆積した混入物を、前記吐出口から流体が吐出されることで前記空間内に吸い込む開口として機能するものであり、
前記吐出口は、前記溝内であって前記空間外に堆積している混入物に向けて流体を吐出するのではなく、該空間内に流体を吐出するものであってもよい。
【００１８】
さらに、この移送システムにおいて、前記吐出口は、前記溝の中心より下方に位置するものであってもよい。
【００１９】
また、受け入れた液体に含まれている混入物が底部に沈降する移送システムであって、
前記底部に沿って延在したものであって、上端部分が閉塞した空間を形成し、該上端部分より下方に該底部から離間した吸込口が設けられた空間形成部材と、
前記空間内に流体を吐出する吐出口とを備え、
前記吸込口は、前記底部に堆積した混入物を、前記吐出口から流体が吐出されることで前記空間内に吸い込む開口として機能するものであり、
前記空間形成部材は、前記空間内に吸い込まれた混入物が、前記吐出口から流体が吐出されることで該流体の吐出方向下流側に向かって移動する経路として機能するものであり、
前記吸込口は、前記空間形成部材の下端が下方に向けて開口したものであり、
前記空間は、前記吸込口につながる下端部分が、該吸込口に近づくほど狭くなったものであってもよい。
【００２０】
また、この移送システムにおいて、前記吐出口は、前記空間形成部材の中心よりは下方であって、前記吸込口よりは上方に位置するものであってもよい。
【００２１】
また、この移送システムにおいて、前記吐出口は、扁平な形状のものであってもよい。
【００２２】
また、この移送システムにおいて、前記底部は、溝が形成されたものであり、
前記空間形成部材は、前記吸込口が前記溝内で開口し、上端部分の高さ位置が、前記溝の開口とほぼ同じ高さ、または該溝の開口よりも下方に位置したものであってもよい。
【００２３】
また、この移送システムにおいて、前記底部は、溝が形成されたものであり、
前記溝は、円筒体の上方を切り欠いた形状のものであり、
前記空間形成部材は、前記吸込口が前記溝内で開口し、円筒体の下方を切り欠いた形状のものであってもよい。
【００２４】
なお、受け入れた水に含まれている砂が池底部に沈降する沈砂池であって、
前記池底部に沿って延在したものであって、上端部分が閉塞した空間を形成し、該上端部分より下方に該池底部から離間した吸込口が設けられた空間形成部材と、
前記空間内に流体を吐出する吐出口とを備え、
前記吸込口は、前記池底部に堆積した砂を、前記吐出口から流体が吐出されることで前記空間内に吸い込む開口として機能するものであり、
前記空間形成部材は、前記空間内に吸い込まれた砂が、前記吐出口から流体が吐出されることで該流体の吐出方向下流側に向かって移動する経路として機能するものであり、
前記吐出口は、８ｍ／ｓｅｃ以上の流速で流体を吐出するものであることを特徴とする沈砂池であってもよい。
【００２５】
また、前記吐出口は、０．０５ＭＰａ以上０．３ＭＰａ以下の吐出圧で流体を吐出するものであってもよい。
【００２６】
また、前記吐出口は、前記空間形成部材の中心よりは下方であって、前記吸込口よりは上方に位置するものであってもよい。
【００２７】
また、前記吐出口は、扁平な形状のものであってもよい。
【００２８】
また、前記池底部は、溝が形成されたものであり、
前記空間形成部材は、前記吸込口が前記溝内で開口し、上端部分の高さ位置が、前記溝の開口とほぼ同じ高さ、または該溝の開口よりも下方に位置したものであってもよい。
【００２９】
また、前記池底部は、溝が形成されたものであり、
前記溝は、円筒体の上方を切り欠いた形状のものであり、
前記空間形成部材は、前記吸込口が前記溝内で開口し、円筒体の下方を切り欠いた形状のものであってもよい。
【００３０】
さらに、前記吸込口は、前記空間形成部材の下端が下方に向けて開口したものであり、
前記空間は、前記吸込口につながる下端部分が、該吸込口に近づくほど狭くなったものであってもよい。
【００３１】
また、受け入れた水に含まれている砂が池底部に沈降する沈砂池であって、
上記池底部に沿って延在したものであって、上端部分が閉塞した空間を形成し、その上端部分より下方にその池底部から離間した吸込口が設けられた空間形成部材と、
上記空間内に流体を吐出する吐出口とを備え、
上記吸込口は、上記池底部に堆積した砂を、上記吐出口から流体が吐出されることで上記空間内に吸い込む開口として機能するものであり、
上記空間形成部材は、上記空間内に吸い込まれた砂が、上記吐出口から流体が吐出されることでその流体の吐出方向下流側に向かって移動する経路として機能するものであるこ
とを特徴とする沈砂池であってもよい。
【００３２】
ここで、上記空間形成部材は、断面形状がＣ字状（円弧状）、Ｕ字状、Ｖ字状、コ字状等であってもよく、さらには、上記吸込口が上記池底部に沿って複数設けられた筒状のものであってもよい。あるいは上記吸込口が上記池底部に沿って延在したスリット状のものであってもよい。
【００３３】
また、上記空間形成部材自身は、上記池底部に接したものであってもよいし、その池底部から離間したものであってもよい。
【００３４】
さらに、上記空間形成部材は、上記吸込口が下側部分に設けられたものであってもよい。
【００３５】
この沈砂池によれば、上記吐出口から上記空間内に流体が吐出されることで、上記空間形成部材の内（上記空間）と外とで圧力差が生じ、上記池底部に堆積した砂が、上記吸込口から上記空間内に吸い込まれる。さらに、その空間内では、吸い込まれた砂が、上記流体の流れによって吐出方向下流側に向かって移動する。上記空間内を移動する砂は、上記圧力差が生じている部分では、上記空間形成部材の外に出にくく、砂の撒き上がりが抑えられる。したがって、この沈砂池によれば、砂を十分に移動させながら砂の撒き上がりを抑えることができる。
【００３６】
また、この沈砂池において、上記吸込口は、上記空間形成部材の下端が下方に向けて開口したものであり、
上記空間は、上記吸込口につながる下端部分が、その吸込口に近づくほど狭くなったものであってもよい。
【００３７】
すなわち、上記吸込口が、上記空間形成部材の延在方向に直交する幅方向に絞られた開口であって、上記空間はその吸込口から拡がった空間であってもよい。このように吸込口が絞られた開口であることによって、上記空間内を移動する砂がその空間内から外に出にくくなり、砂の撒き上がりがより抑えられる。また、上記空間内における上記流体の流れを維持しやすくなり、砂をより遠くまで移動させることができる。
【００３８】
なお、上記吸込口は、上記池底部に沿って延在したものであってもよい。
【００３９】
また、上記空間形成部材は、断面形状が１／２よりも大きな円弧状のもの（例えば、３／４の円弧状のもの）であってもよい。  
【００４０】
また、この沈砂池において、上記吐出口が、上記空間内に配置されたものであってもよく、さらに、上記吐出口は、上記空間形成部材が延在する方向、すなわち、上記空間形成部材と平行な方向（例えば、水平な方向）に向かって流体を吐出するものであってもよい。
【００４１】
これらのようにすることで、上記圧力差がより発生しやすくなる。
【００４２】
ここで、上記吐出口に近いほど上記流体の速度、すなわち流速は速くなる。このため、上記吐出口が、上記空間内であって、上記吸込口の近傍に配置されることで、砂がその吸込口からより吸い込まれやすくなる。
【００４３】
また、この沈砂池において、上記池底部は、溝が形成されたものであり、
上記空間形成部材は、上記吸込口が上記溝内で開口した態様であってもよい。
【００４４】
この態様によれば、上記池底部に堆積した砂を効率よく上記空間内に吸い込むことができ、集砂効率が向上する。
【００４５】
なお、上記溝は、断面形状が円弧状のものであってもよく、この場合には、１／２よりも大きな円弧状のもの（例えば、３／４の円弧状のもの）が好ましい。こうすることで、上記溝内に堆積した砂が溝外に撒き上がってしまうことをより抑えることができる。
【００４６】
また、受け入れた水に含まれている砂が池底部に沈降する沈砂池において、その池底部に堆積した砂をその沈砂池から除去する砂除去方法であって、
上記池底部に沿って延在したものであって上端部分が閉塞した空間を形成しその上端部分より下方にその池底部から離間した吸込口が設けられた空間形成部材における、その空間内に流体を吐出し、その池底部に堆積した砂をその流体の吐出方向下流側に向けて移動させる集砂工程と、
上記集砂工程を実施することによって上記吐出方向下流側に移動してきた砂を上記沈砂池の外に向けて排出する排出工程とを有し、
上記集砂工程は、上記空間内に流体を吐出することで、上記吸込口から上記空間内に上記池底部に堆積した砂を吸い込むとともにその空間内に吸い込んだ砂を上記吐出方向下流側に向けて移動させる工程であることを特徴とする砂除去方法であってもよい。
【００４７】
この砂除去方法によれば、沈砂池内で、砂の撒き上がりを抑えつつ砂を十分に移動させて、その沈砂池から砂を除去することができる。
【００４８】
また、受け入れた液体に含まれている混入物が沈降した底部において、該混入物を一方向に移動させる移送システムであって、
上端部分が閉塞した空間を形成し、該上端部分より下方に該底部から離間した吸込口が設けられた空間形成部材と、
流体供給管と、
前記流体供給管によって供給された流体を前記空間内に吐出する吐出口とを備え、
前記吸込口は、前記底部に堆積した混入物を、前記吐出口から流体が吐出されることで前記空間内に吸い込む開口として機能するものであり、
前記空間形成部材は、前記空間内に吸い込まれた混入物が、前記吐出口から流体が吐出されることで該流体の吐出方向下流側に向かって移動する経路として機能するものであることを特徴とする移送システムであってもよい。
【００４９】
ここで、前記移送システムは、ダム湖に設けられたものであり、該ダム湖の底に沈降した土砂を一方向に移動させるものであってもよい。また、前記移送システムは、工場等で生じた金属粉を一方向に移動させるものであってもよい。受け入れた液体は、混入物を沈降させるのに必要な時間、流れを止めて滞留させてもよいし、混入物を沈降させるのに必要な流速で流して滞留させてもよい。
【００５０】
この移送システムによれば、上記吐出口から上記空間内に流体が吐出されることで、上記空間形成部材の内（上記空間）と外とで圧力差が生じ、上記底部に堆積した混入物が、上記吸込口から上記空間内に吸い込まれる。さらに、その空間内では、吸い込まれた混入物が、上記流体の流れによって吐出方向下流側に向かって移動する。上記空間内を移動する混入物は、上記圧力差が生じている部分では、上記空間形成部材の外に出にくく、混入物の撒き上がりが抑えられる。したがって、この移送システムによれば、混入物を十分に移動させながら混入物の撒き上がりを抑えることができる。
【００５１】
また、上記移送システムにおいて、前記吸込口は、汚泥が沈降する沈殿池に設けられ、
該沈殿池の底部に混入物として堆積した汚泥を前記空間内に吸い込む開口として機能するものであってもよい。
【００５２】
ここで、前記底部は、前記沈殿池の池底部であってもよいし、該池底部よりも上流側に設けられ汚泥ピットに接続する移送経路の底部であってもよい。
【００５３】
また、受け入れた液体に含まれている混入物が沈降した底部において、該底部に堆積した混入物を除去する混入物除去方法であって、
前記底部に沿って延在したものであって上端部分が閉塞した空間を形成し該上端部分より下方に該底部から離間した吸込口が設けられた空間形成部材における、該空間内に流体を吐出し、該底部に堆積した混入物を該流体の吐出方向下流側に向けて移動させる移動工程と、
前記移動工程を実施することによって前記吐出方向下流側に移動してきた混入物を排出する排出工程とを有し、
前記移動工程は、前記空間内に流体を吐出することで、前記吸込口から前記空間内に前記底部に堆積した混入物を吸い込むとともに該空間内に吸い込んだ混入物を前記吐出方向下流側に向けて移動させる工程であることを特徴とする混入物除去方法であってもよい。
【００５４】
ここで、混入物は、汚泥であってもよいし、土砂であってもよいし、金属粉であってもよい。受け入れた液体は、混入物を沈降させるのに必要な時間、流れを止めて滞留させてもよいし、混入物を沈降させるのに必要な流速で流して滞留させてもよい。
【００５５】
この混入物除去方法によれば、混入物の撒き上がりを抑えつつ混入物を十分に移動させて、混入物を除去することができる。
【発明の効果】
【００５６】
本発明によれば、混入物を十分に移動させながら混入物の撒き上がりを抑える工夫がなされた移送システムを提供することができる。
【図面の簡単な説明】
【００５７】
【図１】本発明の一実施形態に相当する沈砂池を上方から見た平面図である。
【図２】図１に示す沈砂池のＡ−Ａ断面図である。
【図３】（ａ）は、図２におけるＢ−Ｂ断面図であり、（ｂ）は、（ａ）におけるＣ−Ｃ断面図である。
【図４】（ａ）は、トラフの最上流端付近を拡大して示した部分断面図であり、（ｂ）は、図４（ａ）を右方から見た部分断面図である。
【図５】砂除去方法の流れを示すフローチャートである。
【図６】第２実施形態の沈砂池を幅方向の中央で切断した断面図である。
【図７】図６に示す沈砂池のＤ−Ｄ断面図である。こ
【図８】空間形成部材の変形例を示す斜視図である。
【図９】吐出口の変形例を示す図である。
【図１０】空間形成部材の支持の仕方の変形例を示す図である。
【図１１】移送システムの一実施形態が設けられた沈殿池を上方から見た平面図である。
【図１２】図１１に示す沈殿池の側断面図である。
【図１３】図１２におけるＥ−Ｅ断面図である。
【図１４】（ａ）は、図１３のＧ部を拡大して示す拡大図であり、（ｂ）は、図１３のＨ部を拡大して示す拡大図である。
【図１５】汚泥除去方法の流れを示すフローチャートである。
【図１６】第２実施形態の移送システムが設けられた沈殿池における、図１３に対応した態様を示す断面図である。
【図１７】（ａ）は、図１６のＩ部を拡大して示す拡大図であり、（ｂ）は、（ａ）におけるＪ−Ｊ断面図である。
【図１８】移送システムの第３実施形態が設けられた沈殿池を上方から見た平面図である。
【図１９】図１８に示す沈殿池のＫ−Ｋ断面図である。
【図２０】図１８に示す沈殿池のＬ−Ｌ断面図である。
【図２１】第２汚泥除去方法の流れを示すフローチャートである。
【図２２】空間形成部材の支持の仕方の変形例を示す図である。
【図２３】図１３に示す空間形成部材２８を、幅方向に移動自在に設置した変形例を示す図である。
【発明を実施するための形態】
【００５８】
以下、図面を参照して本発明の実施の形態を説明する。本発明の一実施形態である沈砂池は、下水処理システムの上流側に配置され、下水または雨水などの汚水に含まれる砂を沈降させた後、沈降させた砂を集砂ピットに移動させて汚水から取り除くものである。
【００５９】
図１は、本発明の一実施形態に相当する沈砂池を上方から見た平面図であり、図２は、図１に示す沈砂池のＡ−Ａ断面図である。
【００６０】
図１に示すように、沈砂池１は、除塵機２と、トラフ３と、集砂ピット４と、ポンプ井５とを備えた平面視長方形状の池である。以下、沈砂池１の長辺方向を長手方向と称し、短辺方向を幅方向と称することがある。図１に示す沈砂池１は、図の右側から汚水を受け入れ、受け入れた水は図の左側に向かってゆっくりと流れていく（図１および図２に示す直線の矢印参照）。すなわち、沈砂池の長手方向が水の流れの方向になり、図１および図２では図の右側が上流側になり左側が下流側になる。
【００６１】
除塵機２は、沈砂池１に流れ込んできた汚水に混入している混入物（し渣）を除去するためのものであり、トラフ３よりも上流側に設置されている。除塵機２は、無端チェーン２１と、その無端チェーン２１に間隔をあけて取り付けられた複数のレーキ２２と、水中に没する濾過スクリーン２３とを有する。無端チェーン２１は、沈砂池１の幅方向両側それぞれに斜めに起立した状態で設けられたものであり、図２に示すように、地上側スプロケット２１１と、池底側スプロケット２１２に巻きかけられている。無端チェーン２１が駆動すると、レーキ２２は水中を出入りする。濾過スクリーン２３は、無端チェーン２１の下流側に配置されている。この濾過スクリーン２３は、上下方向に延びるバーが所定間隔（例えば、２５ｍｍ〜７５ｍｍ）で並べられたものであり、所定間隔以上の大きさの混入物の通過を遮る。濾過スクリーン２３で遮られた混入物は、レーキ２２によって掻き揚げられ、掻き揚げられた混入物は、地上側で不図示のベルトコンベア等の運搬手段に載せられる。
【００６２】
除塵機２の下流側には、池底部１ａに堆積した砂が集められる集砂ピット４が設けられている。集砂ピット４の内部には、揚砂ポンプ４１が設けられている。この揚砂ポンプ４１は、集砂ピット４の底面近傍に配置されており、集砂ピット４に集められた砂を沈砂池１の外部に搬送するものである。揚砂ポンプ４１には揚砂管４２が接続されている。揚砂ポンプ４１によって吸引された砂は、この揚砂管４２を通して沈砂池１の外部に送られる。
【００６３】
トラフ３は、集砂ピット４とポンプ井５の間に設けられている。すなわち、トラフ３は、集砂ピット４よりも下流側であって、ポンプ井５よりも上流側に設けられている。このトラフ３は、沈砂池１の池底部１ａ（図２参照）に設けられた溝である。池底部１ａには、後述するように傾斜面６が設けられ、傾斜面６につながるようにトラフ３が設けられている。沈砂池１に流れ込んだ汚水中の砂は、池底部１ａに向かって沈降し、池底部１ａに堆積する。
【００６４】
ポンプ井５は、砂が取り除かれた汚水が貯留されるものである。ポンプ井５は、沈砂池１の最も下流側に配置されている。また、図２に示すように、ポンプ井５の底面が沈砂池１における最深部となっている。ポンプ井５の内部には、揚水ポンプ５１が設けられている。この揚水ポンプ５１は、ポンプ井５に貯留された汚水を沈砂池１の外部に移動するものである。揚水ポンプ５１には揚水管５２が接続されている。揚水ポンプ５１によって吸引された汚水は、この揚水管５２を通して不図示の沈殿池に送られる。図２に示すＷＬは汚水の水面を表している。なお、この水面ＷＬの位置は、沈砂池１へ流れ込む汚水の量によって、トラフ３の底面からの高さが例えば１ｍ以上５ｍ以下の範囲で変化する。
【００６５】
トラフ３は、図１に示すように沈砂池１の幅方向中央に設けられ、ポンプ井５よりも上流側となる位置から所定方向に延在した溝である。すなわち集砂ピット４に向かって延在したものである。トラフ３の下流端は集砂ピット４に接続されており、このトラフ３に堆積した砂は、後述する吐出口から吐出される水の流れによって集砂ピット４まで移動させられる。
【００６６】
また、図１に示す沈砂池１は、トラフ３内に空間形成部材８も備えている。この空間形成部材８の全長はトラフ３の全長と同じであり、空間形成部材８は、トラフ３に沿って延在したものである。空間形成部材８についての詳しい説明は後述する。
【００６７】
図３（ａ）は、図２におけるＢ−Ｂ断面図である。この図３（ａ）では図の左右方向がトラフ３の幅方向になる。
【００６８】
図３（ａ）には、池底部１ａに設けられた傾斜面６の下部と、その傾斜面６につながるように設けられたトラフ３が示されている。図３（ａ）に示すように、傾斜面６は、トラフ３の幅方向両側に設けられている。この傾斜面６は、トラフ３に向かって下方に４５度傾斜したコンクリート製のものであり、ポンプ井５よりも上流側となる位置と集砂ピット４との間で長手方向に延在している。なお、傾斜面６の傾斜角度は、例えば３０度であってもよく６０度であってもよい。
【００６９】
また、トラフ３は、図３（ａ）に示すように、３／４円弧の断面形状をもった、全長１５ｍ程度の溝である。このトラフ３は、ステンレス製等の板材を曲げ加工することによって形成したものであるが、傾斜面６と一体にコンクリートで形成したものであってもよい。また、トラフ３の断面形状は円弧状に限られず、Ｕ字状やＶ字状等であってもよい。図３（ａ）に示すトラフ３は、直径３５６ｍｍ程度の円筒体の上方（液面側）１／４を切り欠いた形状のものであり、上方に向かって開口している。以下、上方に向かって開口している部分をトラフ３の開口３ａと称する。トラフ３内の空間Ｓ１のうち、上端の開口３ａにつながる上端部分３ｂは、その開口３ａに近づくほど狭くなっている。すなわち、トラフ３の開口３ａは、トラフの延在方向に直交する幅方向に絞られた開口である。
【００７０】
沈砂池１に流れ込んだ汚水に含まれている砂は、汚水が下流側へ流れていく課程において池底部１ａに沈降していくが、沈砂池１の上流側の池底部１ａに堆積しやすい。池底部１ａに沈降してきた砂のうち、傾斜面６に沈降した砂は、傾斜面６に沿ってさらにトラフ３に向かって流れ落ち、トラフ３の開口３ａからトラフ内部に入り込む。したがって、池底部１ａに沈降してきた砂は、まずは、トラフ３に集められる。
【００７１】
図３（ａ）に示す空間形成部材８は、３／４円弧の断面形状をもったものである。この空間形成部材８は、板厚４ｍｍのステンレス製の板材を、断面円弧状に成形したものである。図３（ａ）に示す空間形成部材８は、直径１５６ｍｍ程度の円筒体の下方（池底部側）１／４を切り欠いた形状のものであり、下方に向かって開口している。すなわち、空間形成部材８の下端は、下方に向けて開口したものであり、以下、この開口している部分を吸込口８１と称する。この吸込口８１は、トラフ３の幅方向に８０ｍｍ以上の長さＬをもった開口であり、トラフ３の内周壁から離間している。空間形成部材８は、トラフ３内の空間を仕切るものであって、下端より上の部分が閉塞した空間Ｓ２を形成するものである。空間形成部材８の上端部分８２は閉じているが、円弧状であり、下方へ向かって傾斜している。この空間形成部材８にも、砂が沈降してくるが、円弧状であるため、砂が堆積しにくく、空間形成部材８に沈降してきた砂は、円弧状の側面８０をつたって、トラフ３の底部３１に向かって流れ落ちやすくなる。また、円弧状の側面８０によって、空間Ｓ２は、吸込口８１につながる下端部分が、その吸込口８１に近づくほど狭くなっている。
【００７２】
ここで、図１や図２に示すように、トラフ３の上端には、支持板部材９１が、５ｍ程度おきにトラフ３の幅方向に架け渡されている。この支持板部材９１の両端は傾斜面６に固定されており、支持板部材９１が設置された箇所では、その支持板部材９１によってトラフ３の開口３ａが覆われているが、支持板部材９１の、トラフ延在方向の長さは２００ｍｍ程度であり、この支持板部材９１に砂が堆積することは問題にならない。また、２００ｍｍ程度の長さがあることで、紐状の混入物（例えば、髪の毛やビニール紐）が支持板部材９１に巻き付きく恐れが大幅に低減される。
【００７３】
図３（ａ）に示す空間形成部材８は、上端部分８２がこの支持板部材９１によって支持されている。したがって、空間形成部材８の上端部分８２の高さ位置は、トラフ３の開口３ａとほぼ同じ高さ位置である。本実施形態では、高さ（深さ）方向に見れば、空間形成部材８の径方向の中心は、トラフ３の径方向の中心３ｃよりも上方にズレていることになるが、トラフ３の幅方向に見れば、空間形成部材８の径方向の中心は、トラフ３の径方向の中心３ｃに一致している。したがって、トラフ３と空間形成部材８との隙間Ｗは、最も狭い位置でも８０ｍｍ以上は確保されている。上述のごとく上流側には濾過部材（ここでは濾過スクリーン２３）が設置されており、トラフ３と空間形成部材８との隙間Ｗは、その濾過部材を通過してしまう混入物の最大長（ここではスクリーンの目幅であって７５ｍｍ）よりも長いことが、上流側の濾過部材を通過してしまった混入物がその隙間Ｗに詰まることを防止する上で好ましい。
【００７４】
さらに、空間形成部材８内の空間Ｓ２には、その空間Ｓ２内に流体を吐出する吐出口７が設けられている。この吐出口７は、直径５０ｍｍ弱のパイプ状の給水管７１の先端を扁平につぶした長孔形状のものである。吐出口７の横方向（トラフ幅方向）の最大開口長は６０ｍｍ弱程度である。吐出口７をこのような扁平な形状にすることで、真円の形状のものよりも、流速を高めた範囲を広く確保することができる。給水管７１は、傾斜板６の奥側から傾斜板６を貫通し、トラフ３の幅方向に支持板部材９１に沿って延在し、トラフ３の幅方向中央で下方に向かって折れ曲がり、今度は、支持板部材９１および空間形成部材８を貫通し、空間Ｓ２内に入り込んでいる。
【００７５】
図３（ｂ）は、同図（ａ）におけるＣ−Ｃ断面図である。この図３（ｂ）では図の左右方向がトラフ３の延在方向になり、図の右側が上流側（集砂ピット４側）になり左側が下流側（ポンプ井５側）になる。また、空間形成部材８の径方向の中心を通る、空間形成部材８の軸心８ｃが１点鎖線で示されている。
【００７６】
給水管７１の、空間Ｓ２内に入り込んだ部分７１１は、空間形成部材８の径方向の中心を越えて下方へ延び、トラフ３の径方向の中心３ｃ（図３（ａ）参照）よりも上で上流側（集砂ピット４側）に向けて水平に折れ曲がっている。すなわち、空間形成部材８の上端には矩形状の巻付防止板９５が立設されており、給水管７１の、空間Ｓ２内に入り込んだ部分７１１は、その巻付防止板９５の縦の縁９５１に沿って下方へ延び、次いで、巻付防止板９５の横の縁９５２に沿って上流側へ延びている。この巻付防止板９５によって、給水管７１の、空間Ｓ２内に入り込んだ部分７１１に、紐状の混入物が巻き付くことを防止している。給水管７１の、上流側へ延びている部分は、巻付防止板９５を越えて延在しており、吐出口７は、巻付防止板９５よりも上流側に位置している。
【００７７】
本実施形態の吐出口７は、空間形成部材８の径方向の中心よりは下方であって、吸込口８１よりは上方に位置している。この吐出口７からは、空間形成部材８の軸心８ｃと平行あるいは略平行に水が吐出される。すなわち、水平方向あるいは略水平方向に水が吐出される（図３（ｂ）中の右向きの矢印参照）。
【００７８】
図３に示す吐出口７は、最も上流側、すなわち集砂ピット４に最も近い位置に設けられたものである。
【００７９】
吐出口７から空間形成部材８の空間２内に水が吐出されることで、空間形成部材８の内（空間Ｓ２）と外とで圧力差が生じ、トラフ３内（空間Ｓ１）に堆積した砂は、図３（ａ）に示す曲線の矢印のように、吸込口８１から空間Ｓ２内に吸い込まれる。さらに、その空間形成部材８の空間Ｓ２内では、吸い込まれた砂が、吐出口７から吐出された水の流れによって集砂ピット４側に向かって移動する。図３に示すように、吸込口８１は、幅方向（空間形成部材８の延在方向に直交する方向）に絞られた開口であって、空間Ｓ２はその吸込口８１から拡がった空間である。このように吸込口８１が絞られた開口であることによって、空間Ｓ２内を移動する砂がその空間Ｓ２内から外に出にくくなり、砂の撒き上がりがより抑えられる。また、空間Ｓ２内における水の流れを維持しやすくなり、砂をより遠くまで移動させることができる。
【００８０】
以上説明した支持板部材９１における吐出口７の構造は、トラフ３の上端に設けられたいずれの支持板部材９１においても同様である。また、吐出口７は、トラフ３の下流端面壁３６にも設けられている。以下、トラフ３の下流端面壁３６に設けられた吐出口７を下流吐出口と称し、図１や図２に示す下流側の支持板部材９１における吐出口７を中間吐出口と称し、上流側の支持板部材９１における吐出口７（図３に示す吐出口７）を上流吐出口と称して区別することがある。
【００８１】
図４（ａ）は、トラフの最上流端付近を拡大して示した部分断面図である。この図４（ａ）では、図の右側が上流側になり、図の左側が下流側になる。
【００８２】
図４（ａ）に示すように、トラフ３の最下流端部となる端面には、板状の下流端面壁３６が取り付けられている。
【００８３】
図４（ｂ）は、図４（ａ）を右方から見た部分断面図である。すなわち、図４（ｂ）は、下流端面壁３６を上流側から見た図であり、紙面の奥側が下流側になる。
【００８４】
図４（ｂ）には、下流端面壁３６に設けられた下流吐出口７が示されている。この下流吐出口７よりもさらに下流側には、下流吐出口７につながる空室７８（同図（ａ）参照）を形成するＬ型管７７が設けられている。このＬ型管７７は、平面視でＬ字型をした管であり、水を供給する不図示の供給管が接続されている。空室７８に流入した水は、空室７８で流れの向きが下流側に変化して、下流吐出口７から水平方向あるいは略水平方向に水が吐出される。下流吐出口７が設けられたトラフ幅方向の位置は、図３に示す吐出口７が設けられたトラフ幅方向の位置と同じ位置である。また、下流吐出口７が設けられた高さ位置も、図３に示す吐出口７が設けられた高さ位置と同じ位置である。
【００８５】
本実施形態の沈砂池１には、下流吐出口、中間吐出口、および上流吐出口の３つの吐出口７が設けられているが、いずれの吐出口７における水の吐出流速も、８ｍ／ｓｅｃ以上とすることが好ましい。８ｍ／ｓｅｃ未満では、流速不足になってきてしまい、水圧との関係では砂を所定距離移動させられない場合も生じる。砂を所定距離移動させられなくなると、砂の移動方向に吐出口が多く必要になり、吐出口までの配管の数も多くなるため装置が雑多となり不経済である。また、各吐出口７における水の吐出圧は、０．０５ＭＰａ以上０．３ＭＰａ以下である。
【００８６】
以上説明した本実施形態の沈砂池１によれば、砂を十分に移動させながら砂の撒き上がりを抑えることができる。
【００８７】
続いて、本実施形態の沈砂池１の池底部１ａに堆積した砂をその沈砂池１から除去する砂除去方法について説明する。
【００８８】
図５は、砂除去方法の流れを示すフローチャートである。
【００８９】
沈砂池１に流れ込んだ汚水は図２に示す除塵機２を通過する際に、その汚水に混入している混入物（し渣）が取り除かれる。除塵機２を通過した汚水は、集砂ピット４を越えて、トラフ３の上流端に到達し、トラフ３の延在方向に向かってさらに流れる。汚水は、トラフ３の上流側部分を流れる間に、汚水に含まれている砂の多くが沈砂池１の池底部１ａに沈降していく。集砂ピット４に沈降する砂もあれば、傾斜面６に沈降する砂もあり、傾斜面６に沈降した砂は傾斜面６に沿って更にトラフ３に向かって流れ落ちる。また、空間形成部材８の上端部分８２まで沈降した砂は、空間形成部材８の円弧状の側面８０をつたって、トラフ３の底部３１に向かって流れ落ちる。こうして、トラフ３の空間Ｓ１に砂が堆積する。
【００９０】
本実施形態における砂除去方法では、まず、図１や図２に示す揚砂ポンプ４１を駆動させ、後述する集砂工程を実施する前に集砂ピット４内の砂を集砂ピット４から除去しておく（ステップＳ１）。この段階で集砂ピット４に堆積している砂は、沈砂池１に流れ込んだ汚水中の砂のうち、主として、集砂ピット４に沈降して集砂ピット４に堆積した砂である。
【００９１】
次に、揚砂ポンプ４１を駆動させた状態で、３つの吐出口７のうち図３に示す上流吐出口７のみから、毎分１５００リットルの水を水中下で３分間吐出する（ステップＳ２）。このステップＳ２では、トラフ３の空間Ｓ１から、空間形成部材８によって仕切られた空間Ｓ２内に、水が吐出される。上流吐出口７から空間２内に水が吐出されることで、空間形成部材８の内（空間Ｓ２）と外とで圧力差が生じ、トラフ３内（空間Ｓ１）の上流側部分に堆積した砂は、吸込口８１から空間Ｓ２内に吸い込まれる（図３（ａ）に示す曲線の矢印参照）。さらに、その空間形成部材８の空間Ｓ２内では、吸い込まれた砂が、上流吐出口７から吐出された水の流れによって集砂ピット４に向かって移動する。空間形成部材８の空間Ｓ２内を移動する砂は、上記圧力差が生じている部分では、空間形成部材８の外に出にくく、砂の撒き上がりが抑えられる。こうして、トラフ３の上流側部分に堆積した砂は、空間形成部材８の空間Ｓ２内を移動し、やがて集砂ピット４に到達する。集砂ピット４に到達した砂は、先のステップＳ１で駆動を開始した揚砂ポンプ４１によって沈砂池１の外部に搬送され、沈砂池１からの砂が除去される。ここでの砂の除去が、本排出工程の一例に相当する。
【００９２】
次いで、上流吐出口７からの水の吐出を中止し、今度は、３つの吐出口７のうち中間吐出口７のみから、毎分１５００リットルの水を水中下で３分間吐出する（ステップＳ３）。このステップＳ３の実施中にも、揚砂ポンプ４１の駆動は継続している。ステップＳ３でもステップＳ２と同様に空間形成部材８の空間Ｓ２内に水を吐出することで、空間形成部材８の内（空間Ｓ２）と外とで圧力差が生じ、今度は、トラフ３内（空間Ｓ１）の中間吐出口７周辺に堆積した砂が、吸込口８１から空間Ｓ２内に再び吸い込まれる。さらに、吸い込まれた砂は、中間吐出口７から吐出された水の流れによって図３に示す上流吐出口７に向かって空間形成部材８の空間Ｓ２内を移動し、上流吐出口７の周辺まで到達する。上流吐出口７の周辺では中間吐出口７からの水の勢いが低下することで、上流吐出口７の周辺まで到達した砂は、吸込口８１からトラフ３の底部３１に向かって降下し、一旦、トラフ３の空間Ｓ１に戻る。すなわち、トラフ３内（空間Ｓ１）の上流吐出口７周辺に砂が堆積する。
【００９３】
次に、中間吐出口７からの水の吐出を中止し、再び、図３に示す上流吐出口７のみから、ステップＳ２と同様に、毎分１５００リットルの水を水中下で３分間吐出する（ステップＳ４）。このステップＳ４によっても、トラフ３内（空間Ｓ１）の上流吐出口７周辺に堆積した砂が、吸込口８１から空間Ｓ２内に吸い込まれ、吸い込まれた砂は、集砂ピット４に向かって空間Ｓ２内を移動し、やがて集砂ピット４に到達する。このステップＳ４の実施中にも、揚砂ポンプ４１の駆動は継続しており、集砂ピット４に到達した砂は、揚砂ポンプ４１によって沈砂池１から除去される。すなわち、ここでも排出工程の一例に相当する、揚砂ポンプ４１による砂の除去が、併せて行われる。
【００９４】
今度は、上流吐出口７からの水の吐出を中止し、３つの吐出口７のうち下流吐出口７のみから毎分１５００リットルの水を水中下で３分間吐出する（ステップＳ５）。このステップＳ５の実施中にも、揚砂ポンプ４１の駆動は継続している。ステップＳ５でもステップＳ２〜ステップＳ４と同様に空間形成部材８の空間Ｓ２内に水を吐出することで、空間形成部材８の内（空間Ｓ２）と外とで圧力差が生じ、トラフ３内（空間Ｓ１）の下流吐出口７周辺に堆積した砂が、吸込口８１から空間Ｓ２内に吸い込まれる。さらに、吸い込まれた砂は、下流吐出口７から吐出された水の流れによって中間吐出口７に向かって空間形成部材８の空間Ｓ２内を移動し、中間吐出口７の周辺まで到達する。中間吐出口７の周辺では下流吐出口７からの水の勢いが低下することで、中間吐出口７の周辺まで到達した砂は、吸込口８１からトラフ３の底部３１に向かって降下し、トラフ３内（空間Ｓ１）の中間吐出口７周辺に砂が堆積する。
【００９５】
続いて、下流吐出口７からの水の吐出を中止し、再び、中間吐出口７のみから、ステップＳ３と同様に、毎分１５００リットルの水を水中下で３分間吐出する（ステップＳ６）。このステップＳ６の実施中にも、揚砂ポンプ４１の駆動は継続している。ステップＳ６によっても、トラフ３内（空間Ｓ１）の中間吐出口７周辺に堆積した砂が、吸込口８１から空間Ｓ２内に吸い込まれ、吸い込まれた砂は、上流吐出口７に向かって空間Ｓ２内を移動し、やがてトラフ３内（空間Ｓ１）の上流吐出口７周辺に砂が堆積する。
【００９６】
次に、中間吐出口７からの水の吐出を中止し、三度、図３に示す上流吐出口７のみから、ステップＳ２と同様に、毎分１５００リットルの水を水中下で３分間吐出する（ステップＳ７）。このステップＳ７によっても、トラフ３内（空間Ｓ１）の上流吐出口７周辺に堆積した砂が、吸込口８１から空間Ｓ２内に吸い込まれ、吸い込まれた砂は、集砂ピット４に向かって空間Ｓ２内を移動し、やがて集砂ピット４に到達する。このステップＳ７の実施中にも、揚砂ポンプ４１の駆動は継続しており、集砂ピット４に到達した砂は、揚砂ポンプ４１によって沈砂池１から除去される。すなわち、ここでも排出工程の一例に相当する、揚砂ポンプ４１による砂の除去が、併せて行われる。また、揚砂ポンプ４１は、上流吐出口７からの水の吐出を終了した後も所定時間の間は駆動し続け、排出工程の一例に相当する砂の除去は継続して行われる。
【００９７】
こうして、受け入れた水に含まれていた砂は、６段階にわたる空間形成部材８の空間Ｓ２内の移送を経て、集砂ピット４に集まる。以上説明したステップＳ２〜ステップＳ７までが、集砂工程に相当する。この集砂工程は、沈砂池１の水を排水し、沈砂池１の水を減らしたり、総て無くしてから行う必要はなく、沈砂池に汚水を連続的に受け入れている状態で実施する。なお、集砂工程で吐出口７から吐出する流体は、汚水処理場に受け入れた汚水を使用してもよいが、その他の流体であってもよい。
【００９８】
そして、上記所定時間が経過すると、ステップＳ１で駆動を開始した揚砂ポンプ４１を停止し（ステップＳ８）、所定時間が経過すると、あるいは沈降してきた砂によって集砂ピット４に砂がある程度堆積すると、再びステップＳ１が実施される。このように、ステップＳ１〜ステップＳ８は、汚水の受け入れを開始してから、繰り返し実施される。
【００９９】
なお、以上の説明では、揚砂ポンプ４１の駆動は、ステップＳ１で開始してからステップＳ８で停止するまで継続するが、集砂ピット４内の砂が一定量まで減ったら停止するようにしてもよいし、揚砂ポンプ４１の駆動を、ステップＳ３，ステップＳ５〜ステップＳ６の実施中には、停止するようにしてもよい。
【０１００】
本実施形態の砂除去方法によれば、沈砂池１内で、砂の撒き上がりを抑えつつ砂を十分に移動させて、その沈砂池から砂を除去することができる。また、本実施形態の砂除去方法では、砂の移送方向を、下流側から上流側に向かう方向とすることで、沈砂池１の最も下流側に配置されたポンプ井５に砂が流入することを防止している。すなわち、本実施形態では、砂の移送方向下流側（本実施形態では沈砂池１の上流側に相当）に集砂箇所（本実施形態では集砂ピット４）を設け、砂の移送方向上流側（本実施形態では沈砂池１の下流側に相当）に汚水排出箇所（本実施形態ではポンプ井５）を設けている。
【０１０１】
次に、第２実施形態の沈砂池１について説明する。これより後の説明では、これまで説明した構成要素の名称と同じ名称の構成要素には、これまで用いた符号を付して説明し、重複する説明は省略することがある。
【０１０２】
図６は、第２実施形態の沈砂池を幅方向の中央で切断した断面図である。この図６でも図の右側が上流側になり左側が下流側になる。
【０１０３】
図６に示す沈砂池１は、図１に示す沈砂池１とは集砂ピット４を設けた位置が異なる。図６に示す沈砂池１では、集砂ピット４の上流側に上流側トラフ３’を有し、集砂ピット４の下流側に下流側トラフ３’’を有する。上流側トラフ３’も下流側トラフ３’’も、図１等に示すトラフ３より短いトラフであり、これらのトラフ３’，３’’には支持板部材９１は設けられておらず、ここでは不図示の空間形成部材８は、上流端が上流端面壁３６に支持され、下流端が集砂ピット４を形成するコンクリートに支持されることで、トラフ３内に配置されている。
【０１０４】
なお、上流側トラフ３’よりもさらに上流側には、図２に示す除塵機２と同じ除塵機２が設置されているが、この図６では図示省略されている。
【０１０５】
図７は、図６に示す沈砂池のＤ−Ｄ断面図である。この図７では図の左右方向がトラフ幅方向になる。
【０１０６】
第２実施形態の沈砂池１は、断面矩形状の池の池底部１ａを改修し、傾斜面６、上流側トラフ３’、および下流側トラフ３’’それぞれを形成した池である。図７では、池底部１ａの、コンクリートによって改修された部分をクロスハッチングで示している。
【０１０７】
図７に示すように、下流側トラフ３’’は、幅方向に２本並べられており、上流側トラフ３’も、幅方向に２本並べられている。したがって、第２実施形態の沈砂池１では、合計４本のトラフが設けられている。トラフを幅方向に並設することで、池底部１ａの改修にあたり、池底部１ａをコンクリートで埋める量が少なくなり、沈砂池１の汚水の受入れ容量の低下を抑えることができる。各トラフ内には、空間形成部材８が設けられている。
【０１０８】
続いて、これまで説明してきた沈砂池１の変形例について説明する。
【０１０９】
図８は、空間形成部材の変形例を示す斜視図である。この図８は、集砂ピット４側から空間形成部材８を斜めに見たときの様子を示す図である。なお、この図８には、図３に示す支持板部材９１、給水管７１、巻付防止板９５、および吐出口７それぞれと同じものが示されている。
【０１１０】
図８に示す空間形成部材８は、円筒状のパイプ部材である。この空間形成部材８は、トラフ３が設けられていない平らな池底部１ａに配置されたものであり、空間形成部材８の下端８３は池底部１ａに接している。この空間形成部材８の幅方向両側それぞれには、空間形成部材８の延在方向に複数の吸込口８１が並設されている。各吸込口８１は、円筒状のパイプの周面を縦長に切り欠いたものであり、空間形成部材８の上下方向中間部分に設けられている。各吸込口８１は、池底部１ａから離間している。
【０１１１】
なお、吸込口８１は、空間形成部材８の幅方向片側で上記延在方向につながった一本のスリット状のものであってもよい。また、空間形成部材８は、筒状のものや、断面形状が円弧状のものに限らず、上端部分が閉塞したものであれば、断面形状が、Ｕ字状、Ｖ字状、コ字状等であってもよい。
【０１１２】
また、第１実施形態の吐出口７はいずれも扁平な長孔形状のものであったが、この形状に限られることはない。さらに、吐出口７の配置位置も、図３（ａ）に示す位置に限られない。
【０１１３】
図９は、吐出口の変形例を示す図である。この図９では図の左右方向がトラフ３の幅方向になる。
【０１１４】
図９に示す吐出口７はいずれも真円の形状である。同図（ａ）に示す吐出口７は、空間形成部材８の径方向の中心８ｃに一致した位置に設けられたものである。同図（ｂ）に示す吐出口７は、空間形成部材８の上端部分８２の内周壁に設けられたものである。したがって、空間形成部材８の径方向の中心よりも上に設けられたものである。同図（ｂ）および（ｃ）に示す吐出口７は、水平方向に下流側に向かって突出している。同図（ｃ）に示す吐出口７は、空間形成部材８の側面８０における内周壁の下端に設けられたものである。すなわち、吸込口８１の両側に配置されている。同図（ｂ）および（ｃ）に示す吐出口７につながる不図示の給水管は、空間形成部材８の側面８０における内周壁に固定され、その内周壁に沿って延びるものである。同図（ｃ）に示す吐出口７も、下流側に向かって突出したものであるが、この吐出口７は、やや上方、かつ、やや上記中心側を向いて設置されている。
【０１１５】
なお、吐出口７は、図３（ａ）やこの図９に示すように、空間形成部材８の空間２内に設置されている必要は必ずしもなく、空間形成部材８（吸込口８１）よりも下方で斜め上方を向いて設置され、空間形成部材８の空間２内に流体を吐出することができるものであればよい。
【０１１６】
図１０は、空間形成部材の支持の仕方の変形例を示す図である。図１０（ａ）では、図３（ａ）と同様に図の左右方向がトラフ３の幅方向になる。また、図１０（ｂ）では、図３（ｂ）と同様に、図の左右方向がトラフ３の延在方向になり、図の右側が上流側（集砂ピット４側）になり左側が下流側（ポンプ井５側）になる。
【０１１７】
図３（ａ）に示す空間形成部材８は、上端部分８２が支持板部材９１によって支持されていたが、図１０（ａ）に示す空間形成部材８は、吸込口８１（同図（ｂ）参照）の両脇になる下端８３が支持台９２によって支持されている。支持台９２は、トラフ３の底部３１に設けられたコンクリート製のものである。この支持台９２は、延在するトラフ３の、支持板部材９１が設けられた位置に形成されている。同図（ｂ）に示すように、支持台９２は、上流側傾斜面９２１と下流側傾斜面９２２を有するとともに、上流側傾斜面９２１と下流側傾斜面９２２の間に支持部９２３を有する。空間形成部材８の下端８３は、この支持部９２３に支持されている。同図（ａ）に示すように、支持部９２３の幅方向中央には水平面９２３１が設けられているが、その水平面９２３１の両側は、トラフ３に向かって下方へ傾斜している。また、同図（ｂ）に示すように、支持部９２３の下方から給水管７１が上方に延び、給水管７１は、水平面９２３１を貫通すると同時に上流側へ折れ曲がり、水平面９２３１に載置されるように、上流側を向いた吐出口７が形成されている。同図（ａ）に示すように、この吐出口７も扁平な長孔形状のものである。
【０１１８】
図１０（ａ）に示す空間形成部材８の形状や大きさは、図３（ａ）に示す空間形成部材８の形状や大きさと同じであり、３／４円弧の断面形状をもったものである。支持台９２に下端８３が支持された空間形成部材８の径方向の中心８ｃは、トラフ３の径方向の中心３ｃに一致している。
【０１１９】
また、図１０に示す変形例では、吐出口７が、トラフ３の径方向の中心３ｃよりも下方に位置している。また、空間形成部材８の上端部分８２は、トラフ３の開口３ａよりも下方になる。
【０１２０】
なお、空間形成部材８の上端部分８２は、トラフ３の開口３ａよりも上方に位置していてもよいが、トラフ３内の空間Ｓ１に堆積した砂を空間形成部材８の空間Ｓ２内に効率良く吸い込むには、吸込口８１が、トラフ３の開口３ａよりも下方に位置している必要がある。
【０１２１】
また、図８に示すように、池底部１ａにトラフ３を設けず池底部１ａを平らな面として、空間形成部材８を池幅方向に移動自在に設置してもよい。こうすることで、空間形成部材８を池幅方向にスライドさせる度に、吐出口７から水を吐出させ、広い幅方向の領域にわたって、砂を下流側へ移送することができるようになる。
【０１２２】
次に、移送システムが設けられた沈殿池について説明する。沈殿池は、下水処理システムにおける、沈砂池の下流側に配置され、沈砂池によって砂が除去された汚水を受入れ、受け入れた汚水に含まれる汚泥を沈降させた後、沈降させた汚泥を汚泥ピットに移動させて汚水から取り除くものである。
【０１２３】
図１１は、移送システムが設けられた沈殿池を上方から見た平面図であり、図１２は、図１１に示す沈殿池の側断面図である。
【０１２４】
図１１に示すように、沈殿池１０は、汚泥ピット１４を備えた平面視長方形状の池である。以下、沈殿池１０の長辺方向を長手方向と称し、短辺方向を幅方向と称することがある。図１１および図１２に示す沈殿池１０は、図の右側に設けられた導水渠１０ｂから汚水を受入れ（図１２参照）、受け入れた水は図の左側に向って、例えば、０．０３ｍ／ｍｉｎ〜０．５ｍ／ｍｉｎ程度の流速でゆっくり流れていく（図１１および図１２に示す直線の矢印参照）。すなわち、沈殿池の長手方向が水の流れの方向になり、図１１および図１２では図の右側が上流側になり左側が下流側になる。沈殿池１０の下流側まで流れた水は、不図示のオーバーフロー用の堰から排出され、例えば、下水処理システムの反応タンク等に送られる。なお、池底部１０ａの底面１００ａは、上流側に向かうに従って沈殿池１０の水深が増加するように少しだけ傾斜している。
【０１２５】
導水渠１０ｂの下流側には、池底部１０ａに堆積した汚泥が集められる汚泥ピット１４が設けられている。汚泥ピット１４の外部には、不図示の汚泥ポンプが設けられ、この汚泥ポンプの不図示の吸込管が汚泥ピット１４に配設されている。汚泥ピット１４に集められた汚泥は、汚泥ポンプを駆動させることによって吸込管から吸込まれ、沈殿池１０の外部に搬送される。
【０１２６】
池底部１０ａは、長手方向の長さが７ｍ程度であり、この池底部１０ａには、長手方向に沿って延在した複数の流路が設けられている。図１３も参照しつつ、流路について説明する。
【０１２７】
図１３は、図１２におけるＥ−Ｅ断面図である。この図１３では図の左右方向が沈殿池１０の幅方向になる。
【０１２８】
図１３に示すように、池底部１０ａの底面１００ａ上には、複数の流路形成部材１３が、幅方向に所定の間隔をあけて配置されている。これら流路形成部材１３は、略直角に接続された一対の傾斜片１３ａを有し、これら傾斜片１３ａの接続部分に角部１３ｂが形成されたアングル状のものである。流路形成部材１３は、角部１３ｂが上方を向く姿勢で、傾斜片１３ａそれぞれの先端部分が底面１００ａに固定されている。これら流路形成部材１３は、図１２および図１３に示すように、池底部１０ａの長手方向全体に延在したものである。また、図１３に示すように、沈殿池１０における一対の側壁１０ｃの下端部分には、幅方向の内側に傾斜した傾斜部１００ｃが形成されている。
【０１２９】
本実施形態の沈殿池１０では、５つの流路Ｆが設けられている。これら５つの流路Ｆのうち、沈殿池１０の幅方向両側に設けられた２つの流路Ｆは、側壁１０ｃの傾斜部１００ｃ、底面１００ａ、および流路形成部材１３の傾斜片１３ａによって画定された、上方が開放した空間である。また、幅方向中央側の３つの流路Ｆは、隣合う流路形成部材１３それぞれの傾斜片１３ａと、底面１００ａとによって画定された、上方が開放した空間である。沈殿池１０に流れ込んだ汚水中の汚泥は、池底部１０ａに向かって沈降して流路Ｆ内に入り込み、側壁１０ｃの傾斜部１００ｃや流路形成部材１３の傾斜片１３ａを伝って流れ落ちる。この結果、沈降した汚泥は、流路Ｆ内の底面１００ａ上に堆積する。なお、流路形成部材１３の角部１３ｂに沈降した汚泥も、いずれかの傾斜片１３ａをつたって底面１００ａに流れ落ちる。ここで、側壁１０ｃの傾斜部１００ｃや流路形成部材１３の傾斜片１３ａの傾斜角度は特に限定されるものではないが、本実施形態の沈殿池１０においては、いずれも４５度に設定されている。また、流路形成部材１３は、ステンレス等の金属製のものであるが、底面１００ａと一体にコンクリートで形成したものであってもよい。また、流路形成部材１３の傾斜片１３ａや側壁１０ｃの傾斜部１００ｃは、円弧状の断面形状を有するものであってもよい。流路Ｆ内の底面１００ａ上に堆積した汚泥は、後述する吐出口から吐出される水の流れによって汚泥ピット１４まで移動させられる。
【０１３０】
図１１〜図１３に示す沈殿池１０には、移送システム２０が設けられている。移送システム２０は、空間形成部材２８と、空間形成部材２８を支持する支持部材２９と、支持部材２９が吊下げられる取付枠２６と、給水管２７１と、給水管２７１によって供給された水を吐出する吐出口２７とを備えている。
【０１３１】
図１３に示すように、空間形成部材２８は、それぞれの流路Ｆ内における幅方向の中央であって、底面１００ａ上に、この底面１００ａから離間した状態で配置されたものである。また、図１１および図１２に示すように、空間形成部材２８は、沈殿池１０の長手方向に沿って延在したものであり、空間形成部材２８の全長は池底部１０ａの長手方向の長さと同じである。給水管２７１は、流体供給管の一例に相当するものであり、一端側が不図示の給水源に接続され、図１２に示すように、他端側が、空間形成部材２８の下流側部分に接続している。
【０１３２】
取付枠２６は、断面がコ字状のものであり、図１１および図１３に示すように、幅方向に延在した状態で、一対の側壁１０ｃ上に架け渡されている。また、取付枠２６は、図１１および図１２に示すように、長手方向に所定の間隔をあけて複数設けられている。支持部材２９は、図１３に示すように、幅方向において、空間形成部材２８に対応した位置にそれぞれ鉛直方向に延在した状態で複数設けられている。また、支持部材２９は、図１２に示すように、長手方向において、取付枠２６の位置に対応した位置に、長手方向に所定の間隔をあけて複数設けられている。これらの支持部材２９は、図１３に示すように、鉛直方向に延在したパイプ部材２９１と、パイプ部材２９１の下端に取り付けられた下側ネジ部材２９２と、パイプ部材２９１の上端に取り付けられた上側ネジ部材２９３とを有している。また、これらの支持部材２９は、下側ネジ部材２９２が空間形成部材２８に取り付けられ、上側ネジ部材２９３が取付枠２６に取り付けられることによって、空間形成部材２８を支持している。
【０１３３】
図１４（ａ）は、図１３のＧ部を拡大して示す拡大図である。この図１４（ａ）では図の左右方向が沈殿池１０の幅方向になる。
【０１３４】
図１４（ａ）に示す空間形成部材２８は、図３に示す空間形成部材８と略同じ断面形状をもったものであり、空間形成部材２８の下端は、下方に向けて開口している。以下、この開口している部分を吸込口２８１と称する。この吸込口２８１は、幅方向に８０ｍｍ以上の長さＬをもった開口であり、底面１００ａから離間している。空間形成部材２８は、流路Ｆ内を仕切るものであって、下端より上の部分が閉塞した空間Ｓ３を形成するものである。空間形成部材２８の上端部分２８２は閉じており、円弧状の側面２８０によって、空間Ｓ３は、吸込口２８１につながる下端部分が、その吸込口２８１に近づくほど狭くなっている。空間形成部材２８の上端部分２８２には、支持部材２９の下側ネジ部材２９２に対応したネジ溝を内周に有する筒部２８３が設けられている。ここで、下側ネジ部材２９２は、下側部分にネジが切られ、上側部分はネジが切られていないものであり、この上側部分が、パイプ部材２９１に挿入されて溶接等によってパイプ部材２９１に固定されている。この下側ネジ部材２９２が、筒部２８３にねじ込まれることによって、空間形成部材２８が支持部材２９に支持されている。
【０１３５】
図１４（ｂ）は、図１３のＨ部を拡大して示す拡大図である。この図１４（ｂ）でも図の左右方向が沈殿池１０の幅方向になる。
【０１３６】
図１４（ｂ）に示すように、上側ネジ部材２９３は、上側部分にネジが切られ、下側部分はネジが切られていないものであり、この下側部分が、パイプ部材２９１に挿入されて溶接等によってパイプ部材２９１に固定されている。この上側ネジ部材２９３が、取付枠２６に形成された孔に挿通された状態で、取付枠２６の上下からそれぞれナットＮで締め付けられることによって、支持部材２９が取付枠２６に吊下げられている。支持部材２９は、上側ネジ部材２９３におけるナットＮの位置を調整することによって、上下方向の位置を調整することができる。これによって支持部材２９に支持された空間形成部材２８の上下方向の位置を調整し、吸込口２８１と底面１００ａとの離間距離を変更することができる。また、沈殿池１０内に汚水が溜まっている状態であっても、支持部材２９を取付枠２６から取り外し、取り外した支持部材２９を引き上げることによって、空間形成部材２８や後述する吐出口２７も引き上げることができる。これによって、沈殿池１０内に汚水が溜まっている状態であっても、空間形成部材２８や吐出口２７のメンテナンス等を行うことができる。
【０１３７】
さらに、図１４（ａ）に示すように、空間形成部材２８内の空間Ｓ３には、その空間Ｓ３内に流体を吐出する吐出口２７が設けられている。この吐出口２７は、図３に示す吐出口７と同じ構造のものである。図１２を用いて上述したように、空間形成部材２８における下流側の部分まで下方に延在してきた給水管２７１は、空間形成部材２８を貫通し、図１４（ａ）に示すように、空間Ｓ３内に入り込んでいる。給水管２７１の、空間Ｓ３内に入り込んだ部分２７１１は、図３に示す、給水管７１の、空間Ｓ２内に入り込んだ部分７１１と同様に、空間形成部材２８の径方向の中心を越えて下方へ延び、上流側（図では手前側）に向けて水平に折れ曲がっている。なお、本実施形態では、図３に示す巻付防止板９５は設けられていない。この理由は、沈砂池において紐状の混入物が除去され、沈殿池１０が受入れる汚水には紐状の混入物がほとんど含まれていないため、このような紐状の混入物の巻き付きを防ぐ必要性が少ないからである。
【０１３８】
本実施形態の吐出口２７は、空間Ｓ３内における長手方向の下流側の端部に設けられたものであり、空間形成部材２８の径方向の中心よりは下方であって、吸込口２８１よりは上方に位置している。この吐出口２７からは、上流側に向けて空間形成部材２８の軸心と平行あるいは略平行に水が吐出される。すなわち、上流側に向けて水平方向あるいは略水平方向に水が吐出され、図１１および図１２では、図の右側が吐出方向下流側になり、図の左側が吐出方向上流側になる。
【０１３９】
吐出口２７から空間形成部材２８の空間Ｓ３内に水が吐出されることで、空間形成部材２８の内（空間Ｓ３）と外とで圧力差が生じ、流路Ｆ内の底面１００ａ上に堆積した汚泥は、図１４に示す曲線の矢印のように、吸込口２８１から空間Ｓ３内に吸い込まれる。さらに、その空間形成部材２８の空間Ｓ３内では、吸い込まれた汚泥が、吐出口２７から吐出された水の流れによって吐出方向下流側（汚泥ピット１４側）に向かって移動する。図１４（ａ）に示すように、吸込口２８１が絞られた開口であることによって、空間Ｓ３内を移動する汚泥がその空間Ｓ３内から外に出にくくなり、汚泥の撒き上がりがより抑えられる。
【０１４０】
汚泥は、砂より粒径が小さい泥状のものであり、砂よりも移動させやすいため、図３に示す吐出口７における水の吐出流速よりも遅い吐出流速で汚泥を十分移動させることができる。このため、本実施形態の吐出口２７における吐出流速は、例えば、図３に示す吐出口７における水の吐出流速の１／３程度にすることができる。また、吐出口２７から吐出される水の吐出量も、図３に示す吐出口７から吐出される水の吐出量の１／３程度にすることができ、例えば、吐出口２７から吐出される水の吐出量を、毎分５００リットル程度にすることができる。
【０１４１】
以上説明した本実施形態の移送システム２０によれば、汚泥を十分に移動させながら汚泥の撒き上がりを抑えることができる。
【０１４２】
続いて、本実施形態の沈殿池１０の池底部１０ａに堆積した汚泥をその沈殿池１０から除去する汚泥除去方法について説明する。この汚泥除去方法は、混入物除去方法の一例に相当する。
【０１４３】
図１５は、汚泥除去方法の流れを示すフローチャートである。
【０１４４】
沈殿池１０に流れ込んだ汚水は、汚泥ピット１４を越えて、流路Ｆの上流端に到達し、流路Ｆの延在方向に向かってさらに流れる。汚水が流路Ｆの延在方向に向かって流れる間に、汚水に含まれている汚泥が、汚泥ピット１４や池底部１０ａに沈降していく。流路Ｆ内の、側壁の傾斜部１００ｃや流路形成部材１３に沈降した汚泥は、底面１００ａに向かって流れ落ちる。こうして、流路Ｆ内の底面１００ａ上に汚泥が堆積する。
【０１４５】
本実施形態における汚泥除去方法では、まず、汚泥ピット１４に設けられた不図示の汚泥ポンプを駆動させ、汚泥ピット１４内の汚泥を汚泥ピット１４から除去しておく（ステップＳ１）。この段階で汚泥ピット１４に堆積している汚泥は、沈殿池１０に流れ込んだ汚水中の汚泥のうち、主として、汚泥ピット１４に沈降して汚泥ピット１４に堆積した汚泥である。
【０１４６】
次に、汚泥ポンプを駆動させた状態で、吐出口２７から、毎分５００リットルの水を水中下で３分間吐出する（ステップＳ２）。このステップＳ２では、流路Ｆから、空間形成部材２８によって仕切られた空間Ｓ３内に、水が吐出される。吐出口２７から空間Ｓ３内に水が吐出されることで、空間形成部材２８の内（空間Ｓ３）と外とで圧力差が生じ、流路Ｆ内の底面１００ａ上に堆積した汚泥は、吸込口２８１から空間Ｓ３内に吸い込まれる（図１４（ａ）に示す曲線の矢印参照）。さらに、その空間形成部材２８の空間Ｓ３内では、吸い込まれた汚泥が、吐出口２７から吐出された水の流れによって吐出方向下流側（汚泥ピット１４側）に向かって移動する。空間形成部材２８の空間Ｓ３内を移動する汚泥は、上記圧力差が生じている部分では、空間形成部材２８の外に出にくく、汚泥の撒き上がりが抑えられる。こうして、流路Ｆ内の底面１００ａ上に堆積した汚泥は、空間形成部材２８の空間Ｓ３内を移動し、やがて汚泥ピット１４に到達する。ここでの汚泥の移動が、移動工程の一例に相当する。この移動工程は、沈殿池１０の水を排水し、沈殿池１０の水を減らしたり、総て無くしてから行う必要はなく、沈殿池に汚水を連続的に受け入れている状態で実施する。汚泥ピット１４に到達した汚泥は、先のステップＳ１で駆動を開始した汚泥ポンプによって沈殿池１０の外部に搬送され、沈殿池１０から汚泥が除去される。ここでの汚泥の除去が、排出工程の一例に相当する。
【０１４７】
そして、吐出口２７からの水の吐出を終了し、その後所定時間が経過すると、ステップＳ１で駆動を開始した汚泥ポンプを停止する（ステップＳ３）。また、さらに所定時間が経過すると、あるいは沈降してきた汚泥によって汚泥ピット１４に汚泥がある程度堆積すると、再びステップＳ１が実施される。このように、ステップＳ１〜ステップＳ３は、汚水の受け入れを開始してから、繰り返し実施される。
【０１４８】
本実施形態の汚泥除去方法によれば、沈殿池１０内で、汚泥の撒き上がりを抑えつつ汚泥を十分に移動させて、その沈殿池から汚泥を除去することができる。
【０１４９】
次に、移送システムの第２実施形態が設けられた沈殿池について説明する。これより後の説明では、これまで説明した構成要素の名称と同じ名称の構成要素には、これまで用いた符号を付して説明し、重複する説明は省略することがある。
【０１５０】
図１６は、第２実施形態の移送システムが設けられた沈殿池における、図１３に対応した態様を示す断面図である。この図１６では図の左右方向が沈殿池１０の幅方向になる。
【０１５１】
図１６に示す沈殿池１０に設けられた移送システム２０は、トラフ３３の一部である空間形成部材２８と、この空間形成部材２８に設けられた吐出口２７と、給水管２７１とを備えている。トラフ３３は、図１１に示す汚泥ピット１４の下流側であって、池底部１０ａの長手方向に延在したものであり、幅方向に所定の間隔をあけて複数設けられている。このトラフ３３は、溝を形成する溝形成体３３１と、空間形成部材２８と、吐出口２７とを有している。吐出口２７には、沈殿池１０の外から池底部１０ａに向って鉛直方向に延在した給水管２７１が接続されている。また、池底部１０ａには、トラフ３３の幅方向両側それぞれからトラフ３３に向って下方に傾斜してトラフ３３につながった傾斜面１６がコンクリートによって形成されている。この傾斜面１６は、池底部１０ａの長手方向に延在したものである。図１６では、池底部１０ａの、コンクリートによって形成された部分をクロスハッチングで示している。
【０１５２】
図１７（ａ）は、図１６のＩ部を拡大して示す拡大図である。この図１７（ａ）では図の左右方向が幅方向になる。
【０１５３】
図１７（ａ）に示すように、トラフ３３は、それぞれ５／８円弧の断面形状をもつ、第１円弧状部材３３ａと第２円弧状部材３３ｂとを有している。第１円弧状部材３３ａと第２円弧状部材３３ｂは、ステンレス製等のパイプ材の一部を切り欠いて形成したものである。第１円弧状部材３３ａは、厚さが３〜４ｍｍ程度、直径が２５０ｍｍ程度のパイプ材における、時計の短針がさす、９時から、１時と２時との間までの部分（３／８円弧）を切り欠いたものである。また、第２円弧状部材３３ｂは、厚さが３〜４ｍｍ程度、直径が１５０ｍｍ程度のパイプ材における、時計の短針がさす、４時と５時との間から９時までの部分（３／８円弧）を切り欠いたものである。トラフ３３は、第１円弧状部材３３ａにおける上記９時に相当する端部に、第２円弧状部材３３ｂにおける上記９時に相当する端部を突き合わせて接合することによって形成されている。これら第１円弧状部材３３ａと第２円弧状部材３３ｂによって、空間形成部材２８と溝形成体３３１が形成されている。空間形成部材２８は、下方に向かって開口している。この、下方に向かって開口している部分が空間形成部材２８の吸込口２８１になる。この吸込口２８１は、幅方向に８０ｍｍ以上の長さＬをもった開口であり、溝形成体３３１の底３３１ａから離間している。溝形成体３３１の底３３１ａは、底部の一例に相当する。空間形成部材２８の上端部分２８２は円弧状に閉じており、下方へ向かって傾斜している。空間形成部材２８は、下端より上の部分が閉塞した空間Ｓ３を形成するものである。この空間Ｓ３は、吸込口２８１につながる下端部分が、その吸込口２８１に近づくほど狭くなっている。
【０１５４】
また、溝形成体３３１は、上方に向かって開口している。以下、図１７（ａ）に示す、溝形成体３３１の、幅方向における左側半分を溝形成体３３１の一端側と称し、溝形成体３３１の、幅方向における右側半分を溝形成体３３１の他端側と称する。空間形成部材２８は、溝形成体３３１の他端側と離間した状態で、共通部分を介して溝形成体３３１の一端側に接続している。これにより、溝形成体３３１の他端側と空間形成部材２８との間は、上方に向かって開口している。以下、上方に向かって開口している部分をトラフ３３の開口３３４と称する。また、溝形成体３３１内の空間のうち、空間形成部材２８の空間Ｓ３を除いた空間を、空間Ｓ４と称する。すなわち、空間Ｓ３と空間Ｓ４を併せた空間が溝に相当し、トラフ３３の開口３３４は、溝の開口に相当する。本実施形態における空間形成部材２８は、溝内に設けられたものであって、吸込口２８１は、溝の開口よりも下に位置するものである。
【０１５５】
このように、空間形成部材２８は、溝形成体３３１の他端側と離間した状態で一端側に接続したものであるため、空間形成部材２８を支持する部材を省略することができる。この結果、トラフ３の全長にわたり、空間形成部材２８を支持する部材によって溝内への汚泥の沈降が阻害されることがなくなる。
【０１５６】
また、上述のごとく、本実施形態のトラフ３は、直径が２５０ｍｍ程度の第１円弧状部材３３ａと、直径が１５０ｍｍ程度の第２円弧状部材３３ｂとを接合することによって形成されている。したがって、空間形成部材２８と溝形成体３３１の他端側との隙間Ｗは、トラフ３３の全長にわたって１００ｍｍ程度は確保されている。さらに、空間形成部材２８と溝形成体３３１は、一部を互いに共通にした共通部分を有しているため、隙間Ｗを確保しやすく、この結果、トラフ３３の幅方向における大きさを抑えることができる。
【０１５７】
沈殿池１０に流れ込んだ汚水に含まれている汚泥は、汚水が下流側へ流れていく課程において池底部１０ａに沈降していき、傾斜面１６に沈降した汚泥は、傾斜面１６に沿ってさらにトラフ３３に向かって流れ落ちる。図１７（ａ）の右側の傾斜面１６から流れ落ちた汚泥は、トラフ３３の開口３３３４から溝内に入り込む。また、図１７（ａ）の左側の傾斜面１６から流れ落ちた汚泥は、空間形成部材２８における円弧状の側面をつたって、トラフ３３の開口３３４から溝内に入り込む。これらによって、池底部１０ａに沈降してきた汚泥は、溝の底部分に集められる。
【０１５８】
図１７（ｂ）は、同図（ａ）におけるＪ−Ｊ断面図である。この図１７（ｂ）では図の左右方向がトラフ３３の延在方向になり、図の右側が上流側（汚泥ピット１４側）になり左側が下流側になる。
【０１５９】
図１７（ａ）および同図（ｂ）に示すように、空間形成部材２８まで下方に延在した給水管２７１は、下端部分が空間形成部材２８の上端部分２８２を貫通し、空間形成部材２８の空間Ｓ３と連通している。また、空間形成部材２８の空間Ｓ３における、給水管２７１が連通する領域には、空間Ｓ３内に流体を吐出する吐出口２７が設けられている。この吐出口２７は、空間形成部材２８における空間Ｓ３の上側部分を、仕切部材２７２で仕切ることによって形成されている。仕切部材２７２は、トラフ３３の延在方向に水平な状態で延在した水平部２７２１と、この水平部２７２１の下流側の端部から上方に向けて傾斜した傾斜部２７２２を有している。水平部２７２１は、空間形成部材２８の内周面における、上端部を挟んだ幅方向の両側に接続し、その上流側（汚泥ピット１４側）の端部が給水管２７１の下端部分よりも上流側に位置している。また、傾斜部２７２２は、その下流側の端部が、空間形成部材２８の内周面における、給水管２７１の下端部分が接続した部分よりも下流側に接続し、吐出口２７の下流側を閉塞している。これらによって、空間形成部材２８の空間Ｓ３における、給水管２７１が連通する領域が、仕切部材２７２によって仕切られている。なお、本実施形態の吐出口２７は、図１４に示す吐出口２７と同じ構造にしてもよい。
【０１６０】
吐出口２７からは、給水管２７１から供給された水が、上流側に向けて水平方向あるいは略水平方向に吐出される（図１７（ｂ）中の右向きの矢印参照）。すなわち、図１７（ｂ）では、図の右側が吐出方向下流側になり、図の左側が吐出方向上流側になる。吐出口２７から空間形成部材２８の空間Ｓ３内に水が吐出されることで、空間形成部材２８の内（空間Ｓ３）と外（空間Ｓ４）とで圧力差が生じ、溝の底に堆積した汚泥は、図１７（ａ）に示す曲線の矢印のように、吸込口２８１から空間Ｓ３内に吸い込まれる。さらに、その空間形成部材２８の空間Ｓ３内では、吸い込まれた汚泥が、吐出口２７から吐出された水の流れによって吐出方向下流側（汚泥ピット１４側）に向かって移動する。図１７（ａ）に示すように、吸込口２８１は、幅方向に絞られた開口であることによって、空間Ｓ２内を移動する砂がその空間Ｓ３内から外に出にくくなり、汚泥の撒き上がりがより抑えられる。
【０１６１】
すなわち、第２実施形態の移送システムが設けられた沈殿池は、受け入れた水に含まれている汚泥が池底部に設けられた溝内に沈降する沈殿池であって、
上端部分が閉塞した空間を形成し、該上端部分より下方に前記溝の底から離間した吸込口が設けられた空間形成部材と、
前記空間内に流体を吐出する吐出口とを備え、
前記吸込口は、前記溝内に堆積した汚泥を、前記吐出口から流体が吐出されることで前記空間内に吸い込む開口として機能するものであり、
前記空間形成部材は、前記空間内に吸い込まれた汚泥が、前記吐出口から流体が吐出されることで該流体の吐出方向下流側に向かって移動する経路として機能するものであり、
前記池底部は、前記溝を形成する溝形成体を有するものであり、
前記空間形成部材は、前記溝形成体の、前記溝の延在方向に直交した幅方向における一端側と他端側とのうち、該他端側と離間した状態で該一端側に接続し、該溝の延在方向に沿って設けられたものである。
【０１６２】
また、前記空間形成部材は、前記溝内に設けられたものであって、
前記吸込口は、前記溝の開口よりも下に位置するものであってもよい。
【０１６３】
さらに、前記空間形成部材は、一部を前記溝形成体の一部と共通にしたものであってもよい。
【０１６４】
また、前記空間形成部材は、前記上端部分が曲面で構成されたものであってもよい。
【０１６５】
さらに、前記池底部は、前記溝の幅方向の両側に、該溝に向かって下方に傾斜した一対の傾斜面を有するものであり、
前記一対の傾斜面のうちの一方は、下端部分が前記溝形成体の前記他端側に接続したものであり、
前記一対の傾斜面のうちの他方は、下端部分が前記空間形成部材の前記上端部分に接続したものであってもよい。
【０１６６】
また、前記空間形成部材は、前記溝の略全長にわたって前記一端側に接続したものであってもよい。
【０１６７】
次に、移送システムの第３実施形態が設けられた沈殿池について説明する。
【０１６８】
図１８は、移送システムの第３実施形態が設けられた沈殿池を上方から見た平面図である。この図１８では図の左右方向が沈殿池１０の長手方向になり、図の上下方向が沈殿池１０の幅方向になる。図１９は、図１８に示す沈殿池のＫ−Ｋ断面図であり、この図１９では図の左右方向が沈殿池１０の長手方向になる。また、図２０は、図１８に示す沈殿池のＬ−Ｌ断面図であり、この図２０では図の左右方向が沈殿池１０の幅方向になる。
【０１６９】
図１８〜図２０に示す沈殿池１０は、長手方向が水の流れの方向になり、図１８および図１９では図の右側が上流側になり左側が下流側になる。この沈殿池１０は、長手方向に延在した一対の側壁１０ｃ（図１８参照）と、幅方向に延在し上流側に位置する上流壁１０ｈと、幅方向に延在し下流側に位置する下流壁１０ｇとを有し、長手方向の長さが３５ｍ程度、幅方向の長さが２５ｍ程度の平面視長方形状の池である。図１９に示すように、下流壁１０ｇには、オーバーフロー用の堰１００ｇが設けられている。この堰１００ｇを乗り越えた汚水は、例えば、下水処理システムの反応タンク等に送られる。また、図１８に示すように、上流壁１０ｈには、図示しない導水渠に連通した開口部１００ｈが設けられている。なお、一対の側壁１０ｃおよび上流壁１０ｈそれぞれには、それそれが延在する方向に所定の間隔をあけて複数の柱部が設けられている。
【０１７０】
図１８および図２０に示すように、沈殿池１０の上流側における幅方向の中央部分には、汚泥ピット１４が設けられている。汚泥ピット１４の外部には、不図示の汚泥ポンプが設けられ、この汚泥ポンプの不図示の吸込管が汚泥ピット１４に配設されている。また、図１８および図２０に示すように、汚泥ピット１４の幅方向両側には、それぞれ幅方向に延在し汚泥ピット１４に接続した一対の集積溝１４１が設けられている。これら集積溝１４１それぞれは、自身の幅になる、沈殿池１０の長手方向における長さが４ｍ程度であり、自身の全長になる、沈殿池１０の幅方向における長さが１０ｍ程度の溝である。これら集積溝１４１は、移送経路の一例に相当し、集積溝１４１の溝底面１４１ａは、移送経路の溝底部の一例に相当する。なお、図２０に示すように、集積溝１４１それぞれの溝底面１４１ａは、汚泥ピット１４に向かうに従って沈殿池１０の水深が増加するように傾斜している。
【０１７１】
図１８に示すように、沈殿池１０における、汚泥ピット１４および集積溝１４１よりも上流側は、長手方向に延在した３つの仕切壁１０ｄによって４つの領域に仕切られており、それぞれの領域に池底部１０ａが設けられている。なお、仕切壁１０ｄにも、側壁１０ｃと同様に、長手方向に所定の間隔をあけて柱部が設けられ、仕切壁１０ｄにおける、柱部が設けられていない部分の下端部分は、ハンチ状に断面形状が大きくなっている。また、隣合う仕切壁１０ｄにおける柱部間には、幅方向に延在した梁１０ｅ（図１９参照）が設けられている。さらに、側壁１０ｃの柱部と、仕切壁１０ｄの柱部との間にも、幅方向に延在した梁が設けられている。図１８および図２０では、図面を簡略化するため、梁は省略している。また、図１９および図２０に示すように、池底部１０ａの上流側部分と、汚泥ピット１４および集積溝１４の上方とには、天井１０ｆが設けられている。図１８では、集積溝１４を示すため、天井１０ｆは省略している。
【０１７２】
図１９に示す池底部１０ａそれぞれの底面１００ａには、図１１〜図１３に示す流路形成部材１３と断面形状が同一の流路形成部材１３が、池底部１０ａの底面１００ａにおける長手方向の略全長にわたって延在した状態で配置されている。本実施形態の側壁１０ｃの下端部分には、図１３に示す傾斜部１００ｃが設けられておらず、また、仕切壁１０ｄの下端部分にも傾斜部が設けられていない。本実施形態では、池底部１０ａの底面１００ａにおける幅方向の両端側部分には、一つの傾斜片からなる第２流路形成部材１３１が配置されている。これら流路形成部材１３および第２流路形成部材１３１によって、本実施形態では、図２０に示すように、池底部１０ａにおける、仕切壁１０ｄによて仕切られた４つの領域それぞれには、４つの流路Ｆが幅方向に並んだ状態で形成されている。なお、側壁１０ｃや仕切壁１０ｄの下端部分に傾斜部を設け、第２流路形成部材１３１を省略してもよい。
【０１７３】
沈殿池１０における、仕切壁１０ｄによって仕切られた領域それぞれには、移送システム２０が設けられている。この移送システム２０は、図１１〜図１４に示す移送システム２０と同様に、空間形成部材２８、支持部材２９、取付枠２６、給水管２７１、および吐出口２７を備えている。空間形成部材２８は、図１４に示す空間形成部材２８と断面形状が同一のものであり、流路Ｆそれぞれに、流路Ｆの長手方向の略全長にわたって延在した状態で配置されている。これら空間形成部材２８は、図１１〜図１３に示す、支持部材２９および取付枠２６と同じ構成の、支持部材２９および取付枠２６によって、池底部１０ａの底面１００ａから離間した状態で支持されている。取付枠２６は、沈殿池１０における、仕切壁１０ｄによって仕切られた領域それぞれにおいて、沈殿池１０の幅方向に延在したものであり、この取付枠２６は、沈殿池１０の長手方向に間隔をあけて複数配置されている。取付枠２６は、両端部分それぞれが受け枠２６１によって支持されている。これら受け枠２６１は、側壁１０ｃおよび仕切壁１０ｄそれぞれにおける、水面よりも上方になる部分に固定されたものである。これらの受け枠２６１にそれぞれ支持された取付枠２６に支持部材２９が吊下げられている。
【０１７４】
図１９に示すように、本実施形態の給水管２７１は、長手方向に６ｍ程度の間隔をあけて、空間形成部材２８の上端部分に複数接続されている。これら給水管２７１は、図１４に示す給水管２７１と同様に、空間形成部材２８を貫通して空間形成部材２８内に入り込んだ後に上流側（汚泥ピット１４および集積溝１４１側）に折れ曲がり、図１４に示す吐出口２７と同じ吐出口が形成されている。これによって、本実施形態では、それぞれの空間形成部材２８内において、長手方向に６ｍ程度の間隔をあけて、５つの吐出口が設けられている。これらの吐出口からは、給水管２７１から供給された水が、上流側（図１８および図１９では右側）に向けて水平方向あるいは略水平方向に吐出される。すなわち、図１８および図１９では、図の右側が吐出方向下流側になり、図の左側が吐出方向上流側になる。以下、それぞれの空間形成部材２８に形成された５つの吐出口のうち、吐出方向の最も下流側（沈殿池１０では最も上流側）の吐出口を第１吐出口と称することがあり、この第１吐出口から吐出方向上流側（沈殿池１０では下流側）に向けて設けられている順に、それぞれ、第２吐出口、第３吐出口、第４吐出口、第５吐出口と称することがある。図１８および図１９に示す沈殿池１０からみると、上記第１吐出口は沈殿池１０における水の流れの最も上流側に設けられたものになり、上記第５吐出口は沈殿池１０における水の流れの最も下流側に設けられたものになる。なお、図１８および図２０では、図面を簡略化するため、給水管２７１は省略している。
【０１７５】
図１８および図１９に示すように、一対の集積溝１４１それぞれの溝底面１４１ａには、沈殿池１０の幅方向に延在した流路形成部材１３および第２流路形成部材１３１’が、沈殿池１０の長手方向に間隔をあけて複数配置され、集積溝１４１の略全長にわたって延在した流路Ｆ’が形成されている。本実施形態では、汚泥ピット１４を挟んだ一対の集積溝１４１それぞれに、３つの流路Ｆ’が形成されている。一対の集積溝１４１それぞれには、第２移送システム２０’が設けられている。この第２移送システム２０’は、移送システム２０と同様に、空間形成部材２８と、支持部材２９と、取付枠２６と、給水管２７１と、吐出口とを備えている。空間形成部材２８は、図１４に示す空間形成部材２８と断面形状が同一のものであり、流路Ｆ’それぞれに、流路Ｆ’の略全長にわたって延在した状態で配置されている。これら空間形成部材２８は、移送システム２０の支持部材２９と同じ構成の支持部材２９と、移送システム２０の取付枠２６と同じ断面形状の取付枠２６によって、集積溝１４１の溝底面１４１ａから離間した状態で支持されている。取付枠２６は、図１８に示すように、集積溝１４１の上方において、沈殿池１０の長手方向に延在した状態で、沈殿池１０の幅方向に所定の間隔をあけて配置されている。本実施形態では、それぞれの集積溝１４１に、３つの取付枠２６が配置されている。図１８および図２０に示すように、３つの取付枠２６のうち、沈殿池１０の幅方向中央に配置された取付枠２６は、上流側の端部部分が、上流壁１０ｈに固定された受け枠２６１に支持され、下流側の端部部分が、仕切壁１０ｄにおける上流側の面に固定された受け枠２６１に支持されている。また、図１８および図１９に示すように、３つの取付枠２６のうち、沈殿池１０の幅方向外側に配置された２つの取付枠２６それぞれは、上流側の端部部分が、沈殿池１０の上流壁１０ｈに固定された受け枠２６１に支持され、下流側の端部部分が、移送システム２０における最も上流側に配置された取付枠２６上に支持されている。これら取付枠２６それぞれに支持部材２９が吊下げられている。
【０１７６】
図２０に示すように、第２移送システム２０’の空間形成部材２８それぞれには、給水管２７１が、沈殿池１０の幅方向における外側の端部部分と、沈殿池１０の幅方向における中間部分に接続されている。これら給水管２７１は、図１４に示す給水管２７１と同様に、空間形成部材２８を貫通して空間形成部材２８内に入り込んだ後に幅方向中央側（汚泥ピット１４側）に折れ曲がり、図１４に示す吐出口２７と同じ吐出口が形成されている。これによって、本実施形態では、それぞれの空間形成部材２８内において、長手方向に５ｍ程度の間隔をあけて、２つの吐出口が設けられている。これらの吐出口からは、給水管２７１から供給された水が、汚泥ピット１４側に向けて水平方向あるいは略水平方向に吐出される。すなわち、一対の集積溝１４１それぞれにおいては、沈殿池１０の幅方向外側が吐出方向上流側になり、沈殿池１０の幅方向内側（汚泥ピット１４側）が吐出方向下流側になる。以下、第２移送システム２０’の空間形成部材２８それぞれに形成された２つの吐出口のうち、吐出方向上流側（沈殿池１０の幅方向における外側）の吐出口を外側吐出口と称することがあり、沈殿池１０の幅方向における内側の吐出口を内側吐出口と称することがある。なお、図１８および図１９では、図面を簡略化するため、移送システム２０’の給水管２７１を省略している。
【０１７７】
続いて、移送システムの第３実施形態が設けられた沈殿池１０内に堆積した汚泥をその沈殿池１０から除去する第２汚泥除去方法について説明する。この第２汚泥除去方法は、混入物除去方法の一例に相当する。
【０１７８】
図２１は、第２汚泥除去方法の流れを示すフローチャートである。
【０１７９】
沈殿池１０に流れ込んだ汚水は、汚泥ピット１４および集積溝１４１を越えて、池底部１０ａの上流端に到達し、池底部１０ａの延在方向に沿ってさらに流れる。汚水が流れる間に、汚水に含まれている汚泥が、汚泥ピット１４、集積溝１４１、および池底部１０ａに沈降していく。集積溝１４１に沈降した汚泥は、流路形成部材１３や第２流路形成部材１３１’をつたって流路Ｆ’内の溝底面１４１ａに流れ落ちる。また、空間形成部材２８の外周面をつたって、流路Ｆ’内の溝底面１４１ａに流れ落ちる。こうして、流路Ｆ’内の溝底面１４１ａ上に汚泥が堆積する。また、池底部１０ａに沈降した汚泥は、流路形成部材１３や第２流路形成部材１３１を伝って流路Ｆ内の底面１００ａに流れ落ちる。また、空間形成部材２８の外周面をつたって、流路Ｆ内の底面１００ａに流れ落ちる。こうして、流路Ｆ内の底面１００ａ上に汚泥が堆積する。
【０１８０】
本実施形態における第２汚泥除去方法では、まず、汚泥ピット１４の外側に設けられた不図示の汚泥ポンプを駆動させ、汚泥ピット１４内の汚泥を汚泥ピット１４から除去しておく（ステップＳ１）。この段階で汚泥ピット１４に堆積している汚泥は、沈殿池１０に流れ込んだ汚水中の汚泥のうち、主として、汚泥ピット１４に沈降して汚泥ピット１４に堆積した汚泥である。なお、汚泥ポンプは、後述するステップＳ２３で停止するまで駆動を継続させておく。
【０１８１】
次に、それぞれの集積溝１４１における２つの吐出口のうち内側吐出口のみから、毎分５００リットルの水を水中下で３分間吐出する（ステップＳ２）。このステップＳ２では、流路Ｆ’から、空間形成部材２８によって仕切られた空間に、水が吐出される。内側吐出口から水が吐出されることで、空間形成部材２８の内と外とで圧力差が生じ、流路Ｆ’における、幅方向の内側部分の溝底面１４１ａ上に堆積した汚泥は、吸込口から空間形成部材２８によって仕切られた空間に吸い込まれる。さらに、その空間形成部材２８によって仕切られた空間では、吸い込まれた汚泥が、内側吐出口から吐出された水の流れによって吐出方向下流側に（汚泥ピット１４に向かって）移動する。空間形成部材２８によって仕切られた空間を移動する汚泥は、上記圧力差が生じている部分では、空間形成部材２８の外に出にくく、汚泥の撒き上がりが抑えられる。こうして、流路Ｆ’における、幅方向の内側部分の溝底面１４１ａに堆積した汚泥は、空間形成部材２８によって仕切られた空間を移動し、やがて汚泥ピット１４に到達する。汚泥ピット１４に到達した汚泥は、汚泥ポンプによって沈殿池１０の外部に搬送され、沈殿池１０から汚泥が除去される。ここでの汚泥の除去が、排出工程の一例に相当する。
【０１８２】
次いで、内側吐出口からの水の吐出を中止し、今度は、外側吐出口のみから、毎分５００リットルの水を水中下で３分間吐出する（ステップＳ３）。ステップＳ３でもステップＳ２と同様に空間形成部材２８で仕切られた空間に水を吐出することで、空間形成部材２８の内と外とで圧力差が生じ、今度は、流路Ｆ’における、幅方向の外側部分の溝底面１４１ａ上に堆積した汚泥が、吸込口から空間形成部材２８によって仕切られた空間に吸い込まれる。さらに、吸い込まれた汚泥は、外側吐出口から吐出された水の流れによって吐出方向下流側に（内側吐出口に向かって）空間形成部材２８によって仕切られた空間を移動し、内側吐出口まで到達する。内側吐出口の周辺では外側吐出口からの水の勢いが低下することで、内側吐出口の周辺まで到達した汚泥は、空間形成部材２８の吸込口から溝底面１４１ａに向かって降下する。すなわち、流路Ｆ’における、内側吐出口周辺の溝底面１４１ａ上に汚泥が堆積する。
【０１８３】
次に、外側吐出口からの水の吐出を中止し、再び、内側吐出口のみから、ステップＳ２と同様に、毎分５００リットルの水を水中下で３分間吐出する（ステップＳ４）。このステップＳ４によって、流路Ｆ’における、内側吐出口周辺の溝底面１４１ａ上に堆積した汚泥が、空間形成部材２８によって仕切られた空間に再び吸い込まれ、吸い込まれた汚泥は、吐出方向下流側に（汚泥ピット１４に向かって）空間形成部材２８によって仕切られた空間を移動し、やがて汚泥ピット１４に到達する。ステップＳ２〜ステップＳ４までが、移動工程の一例に相当する。汚泥ピット１４に到達した汚泥は、汚泥ポンプによって沈殿池１０から除去される。すなわち、ここでも排出工程の一例に相当する、汚泥ポンプによる汚泥の除去が、併せて行われる。この段階で排出される汚泥は、沈殿池１０に流れ込んだ汚水中の汚泥のうち、主として、集積溝１４１に沈降して集積溝１４１の溝底面１４１ａに堆積した汚泥である。
【０１８４】
次に、池底部１０ａに設けられた空間形成部材２８それぞれにおける５つの吐出口のうち、吐出方向の最下流側（沈殿池１０では最上流側）の第１吐出口のみから、毎分５００リットルの水を水中下で３分間吐出する（ステップＳ４）。このステップＳ４では、流路Ｆから空間形成部材２８によって仕切られた空間に、水が吐出される。第１吐出口から水が吐出されることで、空間形成部材２８の内と外とで圧力差が生じ、流路Ｆにおける、最上流側部分の底面１００ａ上に堆積した汚泥は、吸込口から空間形成部材２８によって仕切られた空間に吸い込まれる。さらに、その空間形成部材２８によって仕切られた空間では、吸い込まれた汚泥が、第１吐出口から吐出された水の流れによって吐出方向下流側に（汚泥ピット１４や集積溝１４１に向かって）移動し、やがて汚泥ピット１４や集積溝１４１に到達する。汚泥ピット１４に到達した汚泥は、汚泥ポンプによって沈殿池１０の外部に搬送され、沈殿池１０から汚泥が除去される。ここでも排出工程の一例に相当する、汚泥ポンプによる汚泥の除去が、併せて行われる。
【０１８５】
次いで、第１吐出口からの水の吐出を中止し、今度は、第１吐出口よりも吐出方向上流側に位置する第２吐出口のみから、毎分５００リットルの水を水中下で３分間吐出する（ステップＳ６）。ステップＳ６でもステップＳ５と同様に空間形成部材２８で仕切られた空間に水を吐出することで、空間形成部材２８の内と外とで圧力差が生じ、今度は、流路Ｆにおける、第２吐出口周辺の溝底面１４１ａ上に堆積した汚泥が、吸込口から空間形成部材２８によって仕切られた空間に吸い込まれる。さらに、吸い込まれた汚泥は、第２吐出口から吐出された水の流れによって吐出方向下流側に（第１吐出口に向かって）空間形成部材２８によって仕切られた空間を移動し、第１吐出口まで到達する。第１吐出口の周辺では第２吐出口からの水の勢いが低下することで、第１吐出口の周辺まで到達した汚泥は、空間形成部材２８の吸込口から底面１００ａに向かって降下する。すなわち、流路Ｆにおける、第１吐出口周辺の底面１００ａ上に汚泥が堆積する。
【０１８６】
次に、第２吐出口からの水の吐出を中止し、再び、第１吐出口のみから、ステップＳ５と同様に、毎分５００リットルの水を水中下で３分間吐出する（ステップＳ７）。このステップＳ７によって、流路Ｆにおける、第１吐出口周辺の底面１００ａ上に堆積した汚泥が、空間形成部材２８によって仕切られた空間に吸い込まれ、吸い込まれた汚泥は、吐出方向下流側に（汚泥ピット１４や集積溝１４１に向かって）空間形成部材２８によって仕切られた空間を移動し、やがて汚泥ピット１４や集積溝１４１に到達する。汚泥ピット１４に到達した汚泥は、汚泥ポンプによって沈殿池１０から除去される。すなわち、ここでも排出工程の一例に相当する、汚泥ポンプによる汚泥の除去が、併せて行われる。
【０１８７】
次いで、第１吐出口からの水の吐出を中止した後、ステップＳ６やステップＳ７と同様の工程により、第３吐出口からの吐出（ステップＳ８）、第２吐出口からの吐出（ステップＳ９）、および第１吐出口からの吐出（ステップＳ１０）の各工程を実施する。ステップＳ８〜ステップＳ１０を実施することのより、第３吐出口周辺の底面１００ａ上に堆積した汚泥が、汚泥ピット１４や集積溝１４１に到達し、汚泥ピット１４に到達した汚泥は、汚泥ポンプによって沈殿池１０から除去される。すなわち、ここでも排出工程の一例に相当する、汚泥ポンプによる汚泥の除去が、併せて行われる。
【０１８８】
次に、第１吐出口からの水の吐出を中止した後、ステップＳ８〜ステップＳ１０と同様の工程により、第４吐出口からの吐出（ステップＳ１１）、第３吐出口からの吐出（ステップＳ１２）、第２吐出口からの吐出（ステップＳ１３）、および第１吐出口からの吐出（ステップＳ１４）の各工程を実施する。ステップＳ１１〜ステップＳ１４を実施することにより、第４吐出口周辺の底面１００ａ上に堆積した汚泥が、汚泥ピット１４や集積溝１４１に到達し、汚泥ピット１４に到達した汚泥は、汚泥ポンプによって沈殿池１０から除去される。すなわち、ここでも排出工程の一例に相当する、汚泥ポンプによる汚泥の除去が、併せて行われる。
【０１８９】
次いで、第１吐出口からの水の吐出を中止した後、ステップＳ１１〜ステップＳ１４と同様の工程により、第５吐出口からの吐出（ステップＳ１５）、第４吐出口からの吐出（ステップＳ１６）、第３吐出口からの吐出（ステップＳ１７）、第２吐出口からの吐出（ステップＳ１８）、および第１吐出口からの吐出（ステップＳ１９）の各工程を実施する。ステップＳ１５〜ステップＳ１９を実施することにより、第５吐出口周辺の底面１００ａ上に堆積した汚泥が、汚泥ピット１４や集積溝１４１に到達し、汚泥ピット１４に到達した汚泥は、汚泥ポンプによって沈殿池１０から除去される。すなわち、ここでも排出工程の一例に相当する、汚泥ポンプによる汚泥の除去が、併せて行われる。
【０１９０】
ステップＳ５〜ステップＳ１９を実施することにより、池底部１０ａに沈降した汚泥は、汚泥ピット１４や集積溝１４１まで移動させられ、汚泥ピット１４に到達した汚泥は、汚泥ポンプによって沈殿池１０から除去される。これらステップＳ５〜ステップＳ１９が、移動工程の一例に相当する。
【０１９１】
次に、第１吐出口からの水の吐出を中止した後、ステップＳ２〜ステップＳ４と同様に、内側吐出口からの吐出（ステップＳ２０）、外側吐出口からの吐出（ステップＳ２１）、および内側吐出口からの吐出（ステップＳ２２）を実施する。ステップＳ２０〜ステップＳ２２を実施することにより、池底部１０ａに沈降しステップＳ５〜ステップＳ１９によって集積溝１４１まで移動させられてきた汚泥が、汚泥ピット１４に到達する。ここでの汚泥の移動も、移動工程の一例に相当する。また、汚泥ピット１４に到達した汚泥は、汚泥ポンプによって沈殿池１０から除去される。すなわち、ここでも排出工程の一例に相当する、汚泥ポンプによる砂の除去が、併せて行われる。
【０１９２】
そして、内側吐出口からの水の吐出を終了し、その後所定時間が経過すると、ステップＳ１で駆動を開始した汚泥ポンプを停止する（ステップＳ２３）。また、さらに所定時間が経過すると、あるいは沈降してきた汚泥によって汚泥ピット１４に汚泥がある程度堆積すると、再びステップＳ１が実施される。このように、ステップＳ１〜ステップＳ２３は、汚水の受け入れを開始してから、繰り返し実施される。
【０１９３】
第２汚泥除去方法によれば、沈殿池１０内で、汚泥の撒き上がりを抑えつつ汚泥を十分に移動させて、その沈殿池から汚泥を除去することができる。
【０１９４】
続いて、これまで説明してきた、移送システムの変形例について説明する。
【０１９５】
図２２は、空間形成部材の支持の仕方の変形例を示す図である。図２２では、図１４と同様に図の左右方向が幅方向になる。
【０１９６】
図１４に示す空間形成部材２８は、上端部分２８２の筒部２８３に支持部材２９が取り付けられることによって支持されていたが、図２２に示す空間形成部材２８は、吸込口２８１の両脇になる下端２８４と上端部分２８２が支持体３９によって支持されている。支持体３９は、ステンレス製等の板材を折り曲げて形成されたものであり、例えば、長手方向に数十ｍｍ程度の長さを有し、空間形成部材２８の延在方向に沿って所定の間隔をあけて複数設けられている。また、支持体３９は、コ字状の枠部３９１と、上下方向に延在した一対の下端支持部３９２と、底面１００ａに対して平行に延在し枠部３９１と下端支持部３９２とを接続した一対の接続部３９３とを有している。枠部３９１は、開放部分が下方を向いた状態で空間形成部材２８の上端部分２８２に当接し、この上端部分２８２を支持するものである。下端支持部３９２は、空間形成部材２８の下端２８４それぞれを支持するものである。一対の接続部３９３は、底面１００ａに配置されたベース部材４０上に固定されたものである。空間形成部材２８は、この支持体３９によって、吸込口２８１が、底面１００ａから離間した状態で支持されている。
【０１９７】
図２３は、図１３に示す空間形成部材２８を、幅方向に移動自在に設置した変形例を示す図である。図２３では、図１３と同様に図の左右方向が幅方向になる。
【０１９８】
図１３に示す空間形成部材は、支持部材２９の上側ネジ部材２９３が、取付枠２６に取り付けられることによって、幅方向の位置が固定された状態で支持されていたが、本変形例では、取付枠２６に代えて幅方向に延在したレール部材３７を設け、さらに、支持部材２９の上側ネジ部材２９３に代えて、レール部材３７に幅方向に移動自在に係合するローラ部材２９４を設けている。また、本変形例では、流路形成部材１３を省略し流路Ｆを形成することなく、池底部１０ａを底面１００ａからなる平らな面としている。ローラ部材２９４は、不図示の駆動手段で、レール部材３７に沿って幅方向に移動させることができ、これによって、図の幅方向の矢印に示すように、支持部材２９に支持された空間形成部材２８を幅方向に移動させることができる。こうすることで、空間形成部材２８を幅方向にスライドさせる度に、吐出口２７から水を吐出させ、広い幅方向の領域にわたって、汚泥を汚泥ピット１４側（図１１参照）へ移送することができるようになる。
【０１９９】
本発明は上述の実施の形態に限られることなく特許請求の範囲に記載した範囲で種々の変更を行うことが出来る。例えば、上記実施の形態では、移送システム２０を沈殿池１０に設けているが、移送システム２０をダム湖等の貯水池に設け、ダム湖等の底に沈降した土砂を一方向に移動させて所定の場所に集めるものであってもよい。なお、所定の場所に集められた土砂は、公知の排砂管で吸引する等によりダム湖等から除去してもよい。また、移送システム２０をダム湖等の貯水池に設ける場合は、図２３に示す変形例のように、空間形成部材を移動させる形態が好ましい。さらに、移送システム２０を工場等に設け、工場等で生じた金属粉等を一方向に移動させて所定の場所に集めるものであってもよい。
【０２００】
なお、以上説明した実施形態や変形例の記載それぞれにのみ含まれている構成要件であっても、その構成要件を他の、実施形態や変形例に適用してもよい。
【符号の説明】
【０２０１】
１    沈砂池
１ａ    池底部
３    トラフ
３ａ    開口
４    集砂ピット
６    傾斜面
７    吐出口
８    空間形成部材
８１    吸込口
８２    上端部分
Ｓ１，Ｓ２    空間
１０    沈殿池
１０ａ    池底部
１４    汚泥ピット
１４１    集積溝
２０    移送システム
２８    空間形成部材
２７    吐出口
２９    支持部材
３３    トラフ
Ｆ    流路
Ｓ３，Ｓ４    空間
【図１】
2020062638.tif 000003
【図２】
2020062638.tif 000004
【図３】
2020062638.tif 000005
【図４】
2020062638.tif 000006
【図５】
2020062638.tif 000007
【図６】
2020062638.tif 000008
【図７】
2020062638.tif 000009
【図８】
2020062638.tif 000010
【図９】
2020062638.tif 000011
【図１０】
2020062638.tif 000012
【図１１】
2020062638.tif 000013
【図１２】
2020062638.tif 000014
【図１３】
2020062638.tif 000015
【図１４】
2020062638.tif 000016
【図１５】
2020062638.tif 000017
【図１６】
2020062638.tif 000018
【図１７】
2020062638.tif 000019
【図１８】
2020062638.tif 000020
【図１９】
2020062638.tif 000021
【図２０】
2020062638.tif 000022
【図２１】
2020062638.tif 000023
【図２２】
2020062638.tif 000024
【図２３】
2020062638.tif 000025